(57)【要約】調理器具及び食卓用食器具から調理汚れ、焼きつき汚れ及び焦げつき汚れを除去する硬質表面用洗浄性組成物であって、本組成物が有機アミン溶媒を含有し、約２４．５ｍＮ／ｍ未満の液体表面張力を有し、１０％蒸留水溶液として測定するとき、１０．５未満のｐＨを有する。本組成物は、食器洗いの前処理に使用することができる。本組成物は、金属及びガラス基材から重合油脂をきれいに除去することができる。【特許請求の範囲】
【請求項１】
調理器具及び食卓用食器具から調理汚れ、焼きつき汚れ又は焦げつき汚れを除去する硬質表面用洗浄性組成物であって、有機アミン溶媒を含有し、約２４．５ｍＮ／ｍ未満の液体表面張力を有し、１０％蒸留水溶液として測定するとき、少なくとも１０．５のｐＨを有する前記組成物。
【請求項２】
組成物が、１０％蒸留水溶液として測定するとき、約１１〜約１４、好ましくは約１２〜約１３のｐＨを有する請求項１に記載の組成物。
【請求項３】
組成物が、約５未満、好ましくは約４未満、更に好ましくは約３未満の予備アルカリ性を有する請求項１又は２に記載の組成物。
【請求項４】
組成物が、陰イオン性界面活性剤、両性界面活性剤、双極性界面活性剤、非イオン性界面活性剤、半極性界面活性剤及びこれらの混合物から選択される界面活性剤を約０．０５〜約１０％、好ましくは約０．１〜約２％含有する請求項１〜３のいずれか１項に記載の組成物。
【請求項５】
組成物が、重合油脂でコーティングしたガラス基材上で、２５℃において約２０°未満、好ましくは約１０°未満、更に好ましくは約５°未満の前進接触角を示す請求項１〜４のいずれか１項に記載の組成物。
【請求項６】
調理器具及び食卓用食器具から調理汚れ、焼きつき汚れ又は焦げつき汚れを除去する硬質表面用洗浄性組成物であって、有機アミン溶媒を含有し、重合油脂でコーティングしたガラス基材上で、２５℃において約２０°未満、好ましくは約１０°未満、更に好ましくは約５°未満の前進接触角を示す前記組成物。
【請求項７】
組成物が、少なくとも約１００％、好ましくは少なくとも約２００％、更に好ましくは少なくとも約５００％の汚れ膨潤指数を有する請求項１〜６のいずれか１項に記載の組成物。
【請求項８】
調理器具及び食卓用食器具から調理汚れ、焼きつき汚れ又は焦げつき汚れを除去する硬質表面用洗浄性組成物であって、有機アミン溶媒を含有し、少なくとも約１００％、好ましくは少なくとも約２００％、更に好ましくは少なくとも約５００％の汚れ膨潤指数を有する前記組成物。
【請求項９】
有機溶媒、湿潤剤及びこれらの混合物から選択される拡散助剤を含有する請求項１〜８のいずれか１項に記載の組成物。
【請求項１０】
拡散助剤が、約３０ｍＮ／ｍ未満、好ましくは約２８ｍＮ／ｍ未満、更に好ましくは約２６ｍＮ／ｍ未満の液体表面張力を有する請求項９に記載の組成物。
【請求項１１】
調理器具及び食卓用食器具から調理汚れ、焼きつき汚れ又は焦げつき汚れを除去する硬質表面用洗浄性組成物であって、約１〜約１５％の有機アミン溶媒及び約７〜約３０％の拡散助剤として働く溶媒を含む、約１０〜約４０％、好ましくは約１２〜約２０％の有機溶媒を含有し、更に少なくとも約３．５％の水混和性溶媒及び約３．５％の制限された水混和性を有するカップリング溶媒を含む前記組成物。
【請求項１２】
拡散助剤が、アルコール溶媒、グリコール、グリコール誘導体及びこれらの混合物から選択される１以上の有機溶媒成分を含有する請求項９〜１１のいずれか１項に記載の組成物。
【請求項１３】
拡散助剤が、水混和性十分な有機溶媒及び制限された水混和性を有するカップリング有機溶媒の混合物を含有し、前記水混和性有機溶媒と前記カップリング有機溶媒との比率が約４：１〜約１：２０、好ましくは約２：１〜約１：６、更に好ましくは約１．５：１〜約１：３である請求項９〜１２のいずれか１項に記載の組成物。
【請求項１４】
拡散助剤が、約３０ｍＮ／ｍ未満、好ましくは約２８ｍＮ／ｍ未満、更に好ましくは約２６ｍＮ／ｍ未満の液体表面張力を有する湿潤剤を含有する請求項９〜１３のいずれか１項に記載の組成物。
【請求項１５】
拡散助剤が、アミンオキシド湿潤剤を含有する請求項９〜１４のいずれか１項に記載の組成物。
【請求項１６】
調理器具及び食卓用食器具から調理汚れ、焼きつき汚れ又は焦げつき汚れを除去する硬質表面用洗浄性組成物であって、有機アミン溶媒、制限された水混和性を有するカップリング溶媒及び湿潤剤を含有し、約２４．５ｍＮ／ｍ未満の液体表面張力を有する前記組成物。
【請求項１７】
調理器具及び食卓用食器具から調理汚れ、焼きつき汚れ又は焦げつき汚れを除去する硬質表面用洗浄性組成物であって、有機溶媒系及び湿潤剤を含有し、前記有機溶媒系が、好ましくは少なくとも有機アミン溶媒成分を含有し、前記湿潤剤が、溶媒系の表面張力を湿潤剤の表面張力より少なくとも１ｍＮ／ｍ低下させるのに有効である前記組成物。
【請求項１８】
調理器具及び食卓用食器具から調理汚れ、焼きつき汚れ又は焦げつき汚れを除去する硬質表面用洗浄性組成物であって、有機溶媒系及び湿潤剤を含有し、前記有機溶媒系が、少なくとも有機アミン溶媒及び少なくとも１つの制限された水混和性を有するカップリング溶媒を含有し、前記湿潤剤が、溶媒系の表面張力を湿潤剤の表面張力より少なくとも１ｍＮ／ｍ低下させるのに有効である前記組成物。
【請求項１９】
硬質表面用洗浄性組成物が、約２４ｍＮ／ｍ未満、好ましくは約２３．５ｍＮ／ｍ未満の液体表面張力を有する請求項１〜１８のいずれか１項に記載の組成物。
【請求項２０】
有機アミン溶媒が、アルカノールアミン、アルキルアミン、アルキレンアミン及びこれらの混合物から選択される請求項１〜１９のいずれか１項に記載の組成物。
【請求項２１】
組成物が、少なくとも２５％、好ましくは少なくとも５０％、更に好ましくは少なくとも７５％の重合油脂除去指数を有する請求項１〜２０のいずれか１項に記載の組成物。
【請求項２２】
調理器具及び食卓用食器具から食品の調理汚れ、焼きつき汚れ又は焦げつき汚れを除去する硬質表面用洗浄性組成物であって、好ましくは少なくとも有機アミン溶媒成分を含む有機溶媒系を含有し、約２７ｍＮ／ｍ未満、好ましくは約２６ｍＮ／ｍ未満、更に好ましくは約２５ｍＮ／ｍ未満の液体表面張力を有し、約１０．５超過、好ましくは約１１超過のｐＨを有する液体又はゲルの形態である前記組成物。
【請求項２３】
調理器具及び食卓用食器具から食品の調理汚れ、焼きつき汚れ又は焦げつき汚れを除去する硬質表面用洗浄性組成物であって、有機溶媒系を含有し、前記有機溶媒系が、重合油脂でコーティングしたガラス基材上において溶媒系の個々の成分を含有する同等の組成物の前進接触角より小さい前進接触角を有するような濃度で、好ましくは少なくとも有機アミン溶媒成分を含む複数の溶媒成分を含有する前記組成物。
【請求項２４】
約０．３〜約０．７、好ましくは約０．４〜約０．６の剪断指数（ｎ）及び約０．２０〜約０．１５Ｐａ．ｓｎの粘稠度指数を有する剪断減粘性流体の形態である請求項１〜２３のいずれか１項に記載の組成物。
【請求項２５】
垂直なステンレススチール面にスプレーされる組成物が、約１ｃｍ／ｓ未満、好ましくは約０．１ｃｍ／ｓ未満の流速を有する請求項１〜２４のいずれか１項に記載の組成物。
【請求項２６】
合成スメクタイト型粘土、天然ゴム類及びこれらの混合物から選択される増粘剤を更に含有する請求項１〜２５のいずれか１項に記載の組成物。
【請求項２７】
調理器具及び食卓用食器具から食品の調理汚れ、焼きつき汚れ又は焦げつき汚れを除去する硬質表面用洗浄性組成物であって、有機溶媒系及び約１００ｎｍ未満の平均小板サイズを有する合成スメクタイト型粘土増粘剤を含有する前記組成物。
【請求項２８】
組成物が、アルコール、アミン、エステル、グリコールエーテル、グリコール、テルペン類及びこれらの混合物から選択される有機溶媒系を含有し、この中に少なくとも１つの有機アミン溶媒成分が含まれる請求項１〜２７のいずれか１項に記載の組成物。
【請求項２９】
有機溶媒系が、アルカノールアミン、アルキルアミン、アルキレンアミン及びこれらの混合物を含む有機アミン溶媒、芳香族アルコール、脂肪族アルコール（好ましくはＣ４〜Ｃ１０）、環式脂肪族アルコール及びこれらの混合物を含むアルコール溶媒、Ｃ２〜Ｃ３の（ポリ）アルキレングリコール、グリコールエーテル、グリコールエステル及びこれらの混合物を含むグリコール及びグリコール誘導体、並びに有機アミン溶媒、アルコール溶媒、グリコール及びグリコール誘導体から選択される混合物から選択される、請求項２８に記載の組成物。
【請求項３０】
有機溶媒が、有機アミン（とりわけアルカノールアミン、更にとりわけ２−アミノアルカノール）溶媒及びグリコールエーテル溶媒を好ましくは約３：１〜約１：３の重量比で含有し、前記グリコールエーテル溶媒が、エチレングリコールモノブチルエーテル、ジエチレングリコールモノブチルエーテル、エチレングリコールモノメチルエーテル、エチレングリコールモノエチルエーテル、ジエチレングリコールモノメチルエーテル、ジエチレングリコールモノエチルエーテル、プロピレングリコールモノブチルエーテル、ジプロピレングリコールモノブチルエーテル、エチレングリコールフェニルエーテル及びこれらの混合物から選択される請求項２８又は２９に記載の組成物。
【請求項３１】
グリコールエーテルが、ジエチレングリコールモノブチルエーテル及びプロピレングリコールブチルエーテルの混合物であり、好ましくはその重量比が約１：２〜約２：１である請求項２８〜３０のいずれか１項に記載の組成物。
【請求項３２】
有機溶媒が、１ｍｍＨｇ超過において約５０％未満、好ましくは約２０％未満、更に好ましくは約１０％未満の揮発性有機含量を有する請求項２８〜３１のいずれか１項に記載の組成物。
【請求項３３】
有機溶媒が、約１５０℃未満の沸点、約５０℃未満、好ましくは１００℃未満の引火点、又は約１ｍｍＨｇ超過の蒸気圧を有する溶媒成分を本質的に含まない請求項２８〜３２のいずれか１項に記載の組成物。
【請求項３４】
食器洗いの前処理用組成物の形態である請求項１〜３３のいずれか１項に記載の組成物。
【請求項３５】
自動食器洗い用洗浄剤組成物の形態である請求項１〜３４のいずれか１項に記載の組成物。
【請求項３６】
２価の陽イオンを有する塩、とりわけマグネシウムを更に含有する請求項１〜３５のいずれか１項に記載の組成物。
【請求項３７】
溶媒臭マスキング用の香料又は香料ベースを更に含有する請求項１〜３６のいずれか１項に記載の組成物。
【請求項３８】
香料又は香料ベースが、少なくとも０．００１重量％のイオノン又はイオノン混合物を含有する請求項３７に記載の組成物。
【請求項３９】
イオノン又はイオノン混合物が、オジギソウ、スミレ、アヤメ、ニオイイリス及びこれらの混合物などの天然イオノン含有物質から選択される請求項３８に記載の組成物。
【請求項４０】
香料又は香料ベースが、約２５０℃超過の沸点を有するジャコウを更に含有する請求項３７〜３９のいずれか１項に記載の組成物。
【請求項４１】
香料又は香料ベースが、約２５０℃未満の沸点を有する高揮発性香料成分又は成分混合物を更に含有する請求項３７〜４０のいずれか１項に記載の組成物。
【請求項４２】
シクロデキストリン悪臭制御剤を更に含有する請求項１〜４１のいずれか１項に記載の組成物。
【請求項４３】
調理器具及び食卓用食器具から食品の調理汚れ、焼きつき汚れ又は焦げつき汚れを除去する硬質表面用洗浄性組成物であって、有機溶媒系及びシクロデキストリン悪臭制御剤のを含有する前記組成物。
【請求項４４】
調理器具及び食卓用食器具から調理汚れ、焼きつき汚れ又は焦げつき汚れを除去する方法であって、請求項１〜４３のいずれか１項に記載の硬質表面用洗浄性組成物で調理器具／食卓用食器具を処理することを含む前記方法。
【請求項４５】
金属製の調理器具及び食卓用食器具から重合油脂の調理汚れ、焼きつき汚れ又は焦げつき汚れを除去する方法であって、請求項１〜４３のいずれか１項に記載の硬質表面用洗浄性組成物で調理器具／食卓用食器具を処理することを含む前記方法。
【請求項４６】
金属製の調理器具及び食卓用食器具から炭水化物の調理汚れ、焼きつき汚れ又は焦げつき汚れを除去する方法であって、請求項１〜４３のいずれか１項に記載の硬質表面用洗浄性組成物で調理器具／食卓用食器具を処理することを含む前記方法。
【請求項４７】
手動又は自動で食器を洗浄する前に、硬質表面用洗浄性組成物で調理器具／食卓用食器具を前処理する工程を含む請求項４４〜４６のいずれか１項に記載の方法。
【請求項４８】
手動又は自動で食器を洗浄する前に、硬質表面用洗浄性組成物で調理器具／食卓用食器具を前処理し、汚れが十分に膨潤するまで前処理した調理器具／食卓用食器具をクリングフィルム（ｃｌｉｎｇ ｆｉｌｍ）で覆う工程を含む請求項４４〜４７のいずれか１項に記載の方法。
【発明の詳細な説明】
【０００１】
（産業上の利用分野）
本発明は硬質表面用洗浄性組成物の分野における発明であり、特に調理器具及び食卓用食器具から調理汚れ、焼きつき汚れ及び焦げつき汚れを除去するのに好適な製品及び方法に関する。
【０００２】
（発明の背景）
調理汚れ、焼きつき汚れ及び焦げつき汚れは、表面から除去するのが最も困難な汚れの一種である。伝統的に、調理器具及び食卓用食器具から調理汚れ、焼きつき汚れ及び焦げつき汚れを除去するには、機械的に洗浄する前に汚れた物品を水に浸けることが必要である。自動食器洗い機による方法だけでは、調理汚れ、焼きつき汚れ及び焦げつき汚れを十分に除去することは難しいと考えられる。手で食器を洗う方法では、調理汚れ、焼きつき汚れ及び焦げつき汚れを除去するために強くこする必要があり、安全性や調理器具／食卓用食器具の状態に有害なことがある。
【０００３】
調理汚れ、焼きつき汚れ及び焦げつき汚れを除去しやすくするには、溶媒を含有する洗浄性組成物を使用することが当該技術分野において既知である。例えば、米国特許第５，１０２，５７３号では、調理汚れ、焼きつき汚れ又は乾燥した食品かすで汚れた硬質表面を処理する方法を提示している。この方法では、汚れた物品にプレスポット用組成物を滴下する。滴下する組成物は、界面活性剤、ビルダー、アミン及び溶媒を含有する。米国特許第５，９２９，００７号では、固くなったり、乾燥したり、あるいは焼きついた油汚れの沈着物を除去するために、硬質表面用水性洗浄性組成物を提示している。この組成物は、非イオン性界面活性剤、キレート化剤、腐食剤、グリコールエーテル溶媒系、有機アミン及び再付着防止剤を含有する。ＷＯ−Ａ−９４／２８１０８号は、希釈してより粘稠な使用溶液を作成することができる水性洗浄剤濃縮組成物を開示している。この使用溶液は、棹状ミセル増粘剤組成物、低分子アルキルグリコールエーテル溶媒及び硬質金属イオン封鎖剤による効果的な粘稠度を有する。その適用例として、食品の焼きつき汚れで覆われた、基本的に垂直な表面を少なくとも１つ有する調理準備器具を洗浄する方法について記述している。ただし、実際には、いずれの発明も金属やその他の基材から焼きついて重合した汚れを除去するのに非常に有効であると確認されてはいない。
従って、食品の調理汚れ、焼きつき又は焦げつきで汚れた調理器具及び食卓用食器具を洗浄する前に使用し、これらの除去が困難な食品かすを洗浄しやすくする洗浄性組成物及び方法が依然として求められている。また、焼きつき汚れの除去に更に効果的な洗浄性組成物及び方法も依然として求められている。
【０００４】
（発明の概要）
本発明の第１の観点では、調理汚れ、焼きつき汚れ及び焦げつき汚れ（油脂、肉類、乳製品、果物、パスタ及びその他の特に調理後の除去が難しい食品など）を調理器具及び食卓用食器具（ステンレススチール、ガラス、プラスチック、木及び陶器製の物品を含む）から除去するための硬質表面用洗浄性組成物を提供し、この組成物は有機アミン溶媒を含有する。一般的に、組成物は、約２６ｍＮ／ｍ未満、好ましくは約２５ｍＮ／ｍ未満、更に好ましくは約２４．５ｍＮ／ｍ未満、より好ましくは約２４ｍＮ／ｍ未満の液体表面張力を有し、１０％蒸留水溶液として測定するとき、少なくとも１０．５のｐＨを有する。有機アミン溶媒は、本明細書の組成物中に有効な量で存在する。この有効な量とは、調理汚れ、焼きつき汚れ及び焦げつき汚れを機能的に除去できる量である。液体表面張力が低く、ｐＨが高い状態において、有機アミン溶媒は、調理汚れ、焼きつき汚れ及び焦げつき汚れの膨潤剤、水和剤又はその他の溶媒和剤として働くことができ、これに関連して効果を発揮する。汚れ膨潤剤とは、本明細書において調理汚れ、焼きつき汚れ及び焦げつき汚れが沈着した基材を汚れ膨潤剤で処理すると、外部摩擦力を加えなくても、これらの汚れを膨潤させることができる物質又は組成物であると考えられる。汚れ膨潤効果は、汚れ膨潤指数で表すことができる。
【０００５】
本発明の組成物は、１０％蒸留水溶液として測定するとき、少なくとも約１０．５、好ましくは約１１〜約１４、更に好ましくは約１１．５〜約１３．５のｐＨを有することが好ましい。調理汚れ、焼きつき汚れ及び焦げつき汚れを洗浄する場合、洗浄性能は、洗浄性組成物のｐＨの高さとある程度関連がある。ただし、調理油などの一部の酸性汚れには、ｐＨを高く保つために予備アルカリ性であることが望ましい。その一方で、ユーザの皮膚を傷めないように、予備アルカリ性は高すぎないことが必要である。従って、本発明の組成物は、約５未満、好ましくは約４未満、とりわけ約３未満の予備アルカリ性を有することが好ましい。「予備アルカリ性」とは、本明細書で用いる場合、酸が存在していてもｐＨをアルカリ性に保つことができる組成物の能力のことを言う。これは、予備アルカリを十分に有する組成物が添加された酸を処理してｐＨを保てるということと関係がある。更に具体的には、予備アルカリ性は、ｐＨが９．５より高い製品の１００ｃｃ当たりのＮａＯＨのグラム数として定義される。溶液の予備アルカリ性は、以下の方法で測定する。
【０００６】
ｐＨ４、７、及び１０の緩衝液（又は予想されるｐＨ範囲の緩衝液）を使用して、ガラスｐＨ電極のＭｅｔｔｌｅｒＤＧ１１５−ＳＣが付いた自動滴定装置のＭｅｔｔｌｅｒＤＬ７７を較正する。蒸留水を使用して、測定する組成物の１％溶液を調製する。試料の重量を記録する。１％溶液のｐＨを測定し、０．２５ＮのＨＣｌ溶液を使用して、ｐＨが９．５になるまで溶液を滴定する。以下の方法で予備アルカリ性（ＲＡ）を計算する。
ＲＡ＝ＮａＯＨの割合×比重
ＮａＯＨの割合＝ＨＣｌのｍｌ×ＨＣｌの規定度×４０×１００／アリコート滴定された試料の重量（ｇ）×１０００
本発明の組成物に、陰イオン性界面活性剤、両性界面活性剤、双極性界面活性剤、非イオン性界面活性剤、半極性界面活性剤及びこれらの混合物から選択される界面活性剤を低濃度で添加すると、洗浄作用が高まり、ユーザの皮膚の保護にも役立つ。好ましい界面活性剤の濃度は、約０．０５％〜約１０％、好ましくは約０．０９％〜約５％、更に好ましくは約０．１％〜約２％である。本明細書に用いるのに好ましい界面活性剤は、アミンオキシド界面活性剤である。
【０００７】
汚れ膨潤指数（ＳＳＩ）とは、汚れを物質又は組成物で処理して処理前後の汚れの厚さを比較して、増加した汚れの厚さを測定した値である。理論により限定されないが、汚れの厚みが増すのは、少なくとも部分的には、汚れの水和又は溶媒和によるものと考えられる。汚れが膨潤すると、力を加えなくても、あるいは最低限の力を加えただけで、汚れを簡単に除去することができる。この最低限の力には、例えば、拭き取り、すすぎ、手動又は自動食器洗いがある。汚れの厚さの変化を測定し、ＳＳＩとして表す。
【０００８】
汚れを膨潤させるのに必要な物質又は組成物の量は、物質又は組成物の性質によると考えられ、定例の実験により決定することができる。汚れの膨潤に影響するその他の条件（例えば、ｐＨ、温度及び処理時間）も、定例の実験により決定することができる。ただし、本明細書において好ましい物質又は組成物は有機アミンであり、ガラスや金属基材上の重合油脂又は炭水化物汚れなどの、調理汚れ、焼きつき汚れ及び焦げつき汚れを膨潤させるのに有効である。有機アミンを２０℃で４５分以内、好ましくは３０分以内、更に好ましくは２０分以内の間、汚れに接触させると、５％水溶液、ｐＨ１２．８において、少なくとも約１５％、好ましくは少なくとも約２０％、更に好ましくは少なくとも約３０％、とりわけ少なくとも約５０％のＳＳＩを示す。また、最終組成物が少なくとも約１００％、好ましくは少なくとも約２００％、更に好ましくは少なくとも約５００％のＳＳＩを有するように、有機アミンを選択することも好ましい。このとき、最終組成物のＳＳＩは、上記と同じ処理時間及び温度条件で、希釈しない原液として測定する。本明細書において非常に好ましい汚れ膨潤剤及び最終組成物は、以下に記載する方法に従うとき、重合油脂汚れに必要なＳＳＩ値を満たすものである。
【０００９】
本明細書において、ＳＳＩは、光学式外観検査により、例えば走査型白色光干渉計のＺｙｇｏ ＮｅｗＶｉｅｗ５０３０を使用して測定する。重合油脂の試料を調整する。この試料は、ステンレススチール製金属片上に重合油脂を刷毛で塗ったもので、試料調整法は、重合油脂除去指数の測定について取り上げる節で後述する。次に、端の厚さが約１０μｍの小液滴の油脂試料について、光学式外観検査を行う。走査型白色光干渉法による画像を撮影し、処理前（Ｓｉ）及び処理後（Ｓｆ）の汚れの液滴の厚さを測定する。干渉計（Ｍｉｒａｕ２０倍対物レンズを有するＺｙｇｏ ＮｅｗＶｉｅｗ５０３０）は、入射光を干渉計の内部の基準表面に向かう光線と試料に向かう光線に分離させる。光線は反射した後、干渉計の内部で再び結合し、互いに強め合ったり（建築的干渉）、互いに打ち消し合ったり（破壊的干渉）して、明暗の干渉縞が現れる。ＣＣＤ（電荷結合素子）カメラを使用してデータを記録し、干渉計のソフトウェアで周波数領域分析を行い、データを処理する。その後、得られた画像サイズ（画素）を実際のサイズ（μｍ又はｍｍ）に変換する。ステンレススチール製金属片上の汚れの厚さ（Ｓｉ）を測定した後、ステンレススチール製金属片を室温で一定時間、本発明の組成物中に浸し、上記の方法を繰り返して、汚れの厚さ（Ｓｆ）を測定する。必要な場合には、十分な数の液滴及び試料で操作を繰り返し、統計的有意性を与える。
【００１０】
以下の方法でＳＳＩを計算する。
ＳＳＩ＝［（Ｓｆ−Ｓｉ）／Ｓｉ］×１００
本明細書の組成物は、非常に低い液体表面張力と、重合油脂でコーティングした基材上の接触角に特徴を有する。本発明の好ましい実施例では、組成物は、重合油脂でコーティングしたガラス基材上で、２５℃において約２０°未満、好ましくは約１０°未満、更に好ましくは約５°未満の前進接触角を示すように選択する。
【００１１】
接触角の測定方法は以下のとおりである。試料プレート（調製方法は後述する）を液体に浸けた後、引き上げて、接触角をＷｉｌｈｅｌｍｙ法に従って計算する。沈めた深さに応じて試料に加わった力を測定する（表面張力計のＫｒｕｓｓＫ１２及びＳｙｓｔｅｍＫ１２１というソフトウェアを使用する）。この力は固体表面上の液体の接触角に比例する。試料プレートは以下のように調製する。キャノーラ油３０〜５０ｇをビーカー内にスプレーする。キャノーラ油にスライドガラス（３×９×０．１ｃｍ）を浸け、表面を完全に覆う。これにより、表面上に均一に分散した油の層ができる。油約０．５ｇが放出され、油が均一に広がるまで、スライドガラスの表面上にできる生成物の重量を調整する。調整後、スライドガラスを２５０℃で２０分焼き、室温まで放冷する。
本発明の別の観点では、調理器具及び食卓用食器具から調理汚れ、焼きつき汚れ及び焦げつき汚れを除去する硬質表面用洗浄性組成物を提供し、この組成物は有機アミン溶媒を含有し、重合油脂でコーティングしたガラス基材上で、２５℃において約２０°未満、好ましくは約１０°未満、更に好ましくは約５°未満の前進接触角を示す。
【００１２】
本発明の組成物は、更に拡散助剤を含有することができる。拡散助剤は、有機アミンと汚れの間の界面張力を減らすように働くため、有機アミンは汚れの湿潤性を高めることができる。本明細書の組成物に拡散助剤を添加すると、拡散助剤は組成物の表面張力を下げることができる。このとき、拡散助剤は、拡散助剤自体の表面張力より組成物の表面張力を下げることができるものが好ましい。特に有用な拡散助剤は、表面張力を約２６ｍＮ／ｍ未満、好ましくは約２４．５ｍＮ／ｍ未満、更に好ましくは約２４ｍＮ／ｍ未満、とりわけ約２３．５ｍＮ／ｍ未満に下げることができるものである。表面張力は、本明細書では２５℃で測定する。
理論に縛られることは望ましくないが、有機アミンは汚れに浸透し、汚れを水和させると考えられている。拡散助剤は、有機アミンと汚れの間の界面作用を促進し、汚れの膨潤を助ける。汚れの浸透及び膨潤により、汚れと基材間の結合力が弱まると考えられる。得られた組成物は、焼きついた重合汚れを金属基材から除去するのに特に有効である。
【００１３】
本明細書に用いる拡散助剤は、一般に有機溶媒、湿潤剤及びこれらの混合物から選択することができる。好ましい実施例では、拡散助剤の液体表面張力は、約３０ｍＮ／ｍ未満、好ましくは約２８ｍＮ／ｍ未満、更に好ましくは約２６ｍＮ／ｍ未満、最も好ましくは約２４．５ｍＮ／ｍ未満である。拡散助剤として機能できる好適な有機溶媒には、アルコール溶媒、グリコール及びグリコール誘導体及びこれらの混合物が含まれる。本明細書に用いるのに好ましい拡散助剤は、ジエチレングリコールモノブチルエーテル及びプロピレングリコールブチルエーテルの混合物である。
本明細書において、拡散助剤として使用するのに好適な湿潤剤は界面活性剤であり、これには、陰イオン性界面活性剤、両性界面活性剤、双極性界面活性剤、非イオン性界面活性剤及び半極性界面活性剤が含まれる。好ましい非イオン性界面活性剤には、Ｓｉｌｗｅｔコポリマーなどのシリコーン界面活性剤がある。好ましいＳｉｌｗｅｔコポリマーには、ＳｉｌｗｅｔＬ−８６１０、ＳｉｌｗｅｔＬ−８６００、ＳｉｌｗｅｔＬ−７７、ＳｉｌｗｅｔＬ−７６５７、ＳｉｌｗｅｔＬ−７６５０、ＳｉｌｗｅｔＬ−７６０７、ＳｉｌｗｅｔＬ−７６０４、ＳｉｌｗｅｔＬ−７６００、ＳｉｌｗｅｔＬ−７２８０及びこれらの混合物が含まれる。本明細書に用いるのに好ましいのは、ＳｉｌｗｅｔＬ−７７である。
【００１４】
その他の好適な湿潤剤には有機アミン界面活性剤があり、例えば、アミンオキシド界面活性剤が挙げられる。アミンオキシドは、アルキル部分に平均１２〜１８個の炭素原子を含むことが好ましく、本明細書において非常に好ましいのは、ドデシルジメチルアミンオキシド、テトラデシルジメチルアミンオキシド、ヘキサデシルジメチルアミンオキシド及びこれらの混合物である。
本明細書において非常に好ましい硬質表面用洗浄性組成物は混合溶媒系を含有し、この混合溶媒系は、拡散助剤として働く共溶媒と組み合わせた有機アミン溶媒に基づく。また、焼きついた重合汚れを最適に除去するという観点から、非常に好ましい組成物は、好ましくは水混和性十分な溶媒と共に、制限された水混和性を有する溶媒（本明細書においてはカップリング溶媒と呼ぶ）を含有する。両溶媒は、組成物中で、ある一定の濃度で存在することが好ましい。本発明の別の観点では、調理汚れ、焼きつき汚れ及び焦げつき汚れを調理器具及び食卓用食器具から除去する硬質表面用洗浄性組成物を提供し、この組成物は、約１０％〜約４０％、好ましくは約１２％〜約２０％の有機溶媒を含有し、この中に約１％〜約１５％の有機アミン溶媒及び約７％〜約３０％の拡散助剤として働く溶媒を含み、更に少なくとも約３．５％の水混和性の溶媒及び少なくとも約３．５％の制限された水混和性を有するカップリング溶媒を含有する。
【００１５】
本明細書において水混和性の溶媒とは、２５℃においてどんな割合でも水と混和することができる溶媒である。制限された混和性を有するカップリング溶媒とは、２５℃においてある一定の割合では水と混和できるが、割合によっては混和できない溶媒である。溶媒は、２５℃で約３０質量％未満、好ましくは約２０質量％未満の水に対する溶解度を有することが好ましい。また、溶媒に対する水の溶解度も、２５℃で約３０質量％未満、好ましくは約２０質量％未満であることが好ましい。
本明細書において好ましい拡散助剤は、水混和性十分な有機溶媒と制限された水混和性を有するカップリング有機溶媒の混合物を含有し、水混和性有機溶媒とカップリング有機溶媒との比率が約４：１〜約１：２０、好ましくは約２：１〜約１：６、更に好ましくは約１．５：１〜約１：３である。その他の好適な拡散助剤は、約３０ｍＮ／ｍ未満、好ましくは約２８ｍＮ／ｍ未満、更に好ましくは約２６ｍＮ／ｍ未満、より好ましくは約２４．５ｍＮ／ｍ未満の液体表面張力を有する湿潤剤を含有する。好ましい湿潤剤はアミンオキシドである。非常に好ましい拡散助剤は、カップリング溶媒と湿潤剤の混合物を含有する。
【００１６】
本発明の別の観点では、調理器具及び食卓用食器具から調理汚れ、焼きつき汚れ及び焦げつき汚れを除去する硬質表面用洗浄性組成物を提供し、この組成物は、有機アミン溶媒、制限された水混和性を有するカップリング溶媒及び湿潤剤を含有し、約２６ｍＮ／ｍ未満、好ましくは約２４．５ｍＮ／ｍ未満の液体表面張力を有する。
本明細書における組成物は更に、表面張力を低下させる特性を示す特徴を有する。この特性は、重合汚れに対して最適な除去性能を確保するために重要であると考えられる。本発明の別の観点では、調理器具及び食卓用食器具から調理汚れ、焼きつき汚れ及び焦げつき汚れを除去する硬質表面用洗浄性組成物を提供し、この組成物は、有機溶媒系及び湿潤剤を含有する。このとき、有機溶媒系は、少なくとも有機アミン溶媒成分を含有し、湿潤剤は、溶媒系の表面張力を湿潤剤の表面張力より少なくとも１ｍＮ／ｍ低下させるのに有効であるものである。
【００１７】
本発明の組成物は、約２４ｍＮ／ｍ未満、好ましくは約２３．５ｍＮ／ｍ未満の表面張力を有することが好ましい。
本明細書に用いるのに好適な有機アミン溶媒には、アルカノールアミン、アルキルアミン、アルキレンアミン及びこれらの混合物が含まれる。
【００１８】
本発明の組成物は、重合油脂に対して優れた除去性能を示す特徴を有する。本発明の組成物は、少なくとも２５％、好ましくは少なくとも５０％、更に好ましくは少なくとも７５％の重合油脂除去指数を有することが好ましい。重合油脂除去指数とは、本発明の組成物で処理することにより表面から除去される汚れの量の測定値である。汚れた基材を室温で約４５分以内、好ましくは約３０分以内、更に好ましくは約２０分以内の間、本発明の組成物に浸した後、洗剤又はすすぎ剤を使用せずに食器洗い機で洗浄する。次に、基材を乾燥させて重量を測定し、除去された汚れを重力測定分析により求める。汚れた基材は次のように調製する。ステンレススチール製金属片／スライドを本発明の製品で十分に洗浄し、水で十分にすすぐ。必要な場合には、スライドを５０℃の部屋に置き、乾燥させる。この金属片／スライドを室温まで放冷する（約３０分）。金属片／スライドの重量を測定する。キャノーラ油を小さなビーカー内にスプレーするか、３度に分けて注ぐ（１００ｍｌビーカーにキャノーラ油２０〜３０ｍｌ）。１インチの刷毛をキャノーラ油に浸す。浸した刷毛を回転させ、容器の側面に４〜６回軽く押し付けて、刷毛の両面から余分なキャノーラ油を除く。前記の金属片／スライドの表面にキャノーラ油の層を薄く塗る。その後、乾いた刷毛で各スライドをそっと拭き、キャノーラ油の薄いコーティングだけが塗布されるようにする（均一に２回拭くと余分な量を十分に除くことができる）。この方法により、０．１〜０．２ｇの汚れが金属片／スライドに塗布されると考えられる。金属片／スライドを完全に水平なクッキーシート又はオーブンラックの上に乗せ、２４５℃に加熱したオーブンに入れる。スライド／金属片を２０分焼いた後、室温まで放冷する（約４５分）。放冷後、金属片／スライドの重量を測定する。
【００１９】
本発明の溶媒型組成物は、汚れた調理器具及び食卓用食器具に直接付けるとき、優れた除去性能を示すことが特徴である。有機溶媒系は、汚れ膨潤剤として働く溶媒成分を少なくとも１つ含み、約２７ｍＮ／ｍ未満、好ましくは約２６ｍＮ／ｍ未満、更に好ましくは約２５ｍＮ／ｍ未満の液体表面張力を有することが望ましい。更に、有機溶媒系は複数の溶媒成分を含有し、その濃度は、溶媒系が、重合油脂でコーティングしたガラス基材上において、溶媒系の個々の成分を含有する同等の組成物の前進接触角より低い前進接触角を有するような濃度であることが好ましい。このような溶媒系及び組成物は、炭素含量の多い焼きつき汚れを調理器具及び食卓用食器具から除去するのに最適であるように処方する。組成物は、２５℃で測定するとき、約９超過、好ましくは１０．５超過、更に好ましくは約１１超過のｐＨを有する液体又はゲルの形態であることが好ましい。
【００２０】
上記の溶媒パラメータとは別に、本発明の組成物は、ある種のレオロジーパラメータ及びその他の性能パラメータにも適合する必要がある。これらのパラメータには、スプレーが可能な特性及び表面に密着可能な特性が共に含まれる。例えば、製品を垂直なステンレススチール面にスプレーするとき、製品は約１ｃｍ／ｓ未満、好ましくは約０．１ｃｍ／ｓ未満の流速を有することが望ましい。この場合には、製品は剪断減粘性流体の形態であり、約０〜約０．８、好ましくは約０．３〜約０．７、更に好ましくは約０．４〜約０．６の剪断指数（ｎ）（Ｈｅｒｓｃｈｅｌ−Ｂｕｌｋｅｙ型）を有する。非常に好ましいのは、０．５以下の剪断指数を有する剪断減粘性液である。一方、流体粘稠度指数は、約０．１〜約５０Ｐａ．ｓｎの範囲に及ぶことができるが、約１Ｐａ．ｓｎ未満であることが好ましい。更に好ましい流体粘稠度指数は、約０．２０〜約０．１５Ｐａ．ｓｎである。製品は、試料１０ｍｌ及びＳ−３１スピンドルを使用してシリンダー粘度計のＢｒｏｏｋｆｉｅｌｄ（ＬＶＤＩＩ型）で測定するとき、速度３ｒｐｍにおいて約０．１〜約２００Ｐａ ｓ、好ましくは約０．３〜約２０Ｐａ ｓの粘稠度を有することが好ましい。本明細書に用いるのに特に有用な組成物は、速度６ｒｐｍのとき約１Ｐａ ｓ超過、好ましくは約２〜約４Ｐａ ｓ、速度３０ｒｐｍにおいて約２Ｐａ ｓ未満、好ましくは約０．８〜約１．２Ｐａ ｓ、及び速度６０ｒｐｍにおいて約１Ｐａ ｓ未満、好ましくは約０．３〜約０．５Ｐａ ｓの粘稠度を有する。レオロジーは室温条件下（２５℃）で測定する。
【００２１】
本明細書に用いるのに好適な増粘剤成分には、粘弾性且つ揺変性の増粘剤成分が挙げられ、その濃度は、約０．１重量％〜約１０重量％、好ましくは約０．２５重量％〜約５重量％、最も好ましくは約０．５重量％〜約３重量％である。好適な増粘剤成分には、分子量が約５００，０００〜約１０，０００，０００、好ましくは約７５０，０００〜約４，０００，０００のポリマーが含まれる。好ましい架橋ポリカルボキシレートポリマーは、好ましくはカルボキシビニルポリマーである。このような化合物は、米国特許第２，７９８，０５３号（１９５７年７月２日発行、Ｂｒｏｗｎ）に開示されている。この特許には、カルボキシビニルポリマーの製造方法も開示されている。カルボキシビニルポリマーは揮発性液体の有機炭化水素に実質的には不溶性であり、空気露出時に寸法安定性である。
【００２２】
その他の好適な増粘剤成分には、無機粘土（例えば、ラポナイト、ケイ酸アルミニウム、ベントナイト、燻蒸シリカ）が含まれる。好ましい粘土増粘剤成分は、天然産でも、合成品であってもよい。好ましい合成粘土には、Ｓｏｕｔｈｅｒｎ Ｃｌａｙ Ｐｒｏｄｕｃｔｓ， ＩｎｃからＬａｐｏｎｉｔｅ（商標）の名前で市販されている合成スメクタイト型粘土が挙げられる。特に有用なものは、ＬａｐｏｎｉｔｅＲＤなどのゲル形成等級及びＬａｐｏｎｉｔｅＲＤＳなどのゾル形成等級である。天然産粘土には、ある種のスメクタイト及びアタパルジャイト粘土が含まれる。粘土及び高分子増粘剤の混合物も本明細書に用いるのに好適である。本明細書に用いるのに好ましいのは、最大径が約１００ｎｍ未満の平均的な小板のサイズを有する合性スメクタイト型粘土（例えば、Ｌａｐｏｎｉｔｅ及びその他の合性粘土）である。Ｌａｐｏｎｉｔｅは層状構造を有し、この層状構造は、水に分散するとき、厚さ約１ｎｍ、直径約２５ｎｍの円盤形の結晶の形態になる。本明細書において小板サイズは、優れたスプレー能力、安定性、レオロジー及び密着性、並びに望ましい美的価値を提供するために重要である。
【００２３】
本組成物に使用可能なその他の種類の増粘剤には、キサンタンガム、イナゴマメゴム、グアーガムなどの天然ゴム類が含まれる。セルロースタイプの増粘剤では、ヒドロキシエチル及びヒドロキシメチルセルロース（Ｄｏｗ Ｃｈｅｍｉｃａｌから市販されているＥＴＨＯＣＥＬ及びＭＥＴＨＯＣＥＬ（登録商標）） も使用することができる。天然ゴム類は、組成物をスプレーするとき、液滴のサイズに影響を与えると考えられる。ＴＳＩＡｅｒｏｓｉｚｅｒを使用して測定するとき、液滴が約３〜約１０μｍ、好ましくは約４〜約７μｍの幾何学的に等しい平均直径を有すると、臭いを減少させるのに役立つことが確認されている。本明細書に用いるのに好ましい天然ゴムは、キサンタンガムである。
【００２４】
スプレー能力、密着性、安定性及び汚れ浸透性能の観点から、本明細書において非常に好ましいのは、Ｌａｐｏｎｉｔｅ及びキサンタンガムの混合物である。更に、Ｌａｐｏｎｉｔｅ及びキサンタンガムの混合物は、製品の美的価値を高め、同時に溶媒臭も減少させる。
【００２５】
好ましい実施例では、硬質表面用洗浄性組成物は、少なくとも１つの汚れ膨潤剤として働く溶媒成分を含む有機溶媒系を含有し、このとき、有機溶媒系はアルコール、アミン、エステル、グリコールエーテル、グリコール、テルペン類及びこれらの混合物から選択され、少なくとも１つの有機アミン溶媒成分を含有する。好適な有機溶媒は、アルカノールアミン、アルキルアミン、アルキレンアミン、及びこれらの混合物を含む有機アミン溶媒、芳香族アルコール、脂肪族アルコール（好ましくはＣ４〜Ｃ１０）、環式脂肪族アルコール、及びこれらの混合物を含むアルコール溶媒、Ｃ２〜Ｃ３の（ポリ）アルキレングリコール、グリコールエーテル、グリコールエステル、及びこれらの混合物を含むグリコール及びグリコール誘導体、並びに有機アミン溶媒、アルコール溶媒、グリコール及びグリコール誘導体から選択される混合物から選択されることができる。非常に好ましい有機アミン溶媒には、米国特許第５，５４０，８４６号に開示されているような２−アミノアルカノール溶媒が含まれる。
【００２６】
本発明の好ましい組成物では、有機溶媒は、有機アミン（とりわけアルカノールアミン）溶媒及びグリコールエーテル溶媒を好ましくは約３：１〜約１：３の重量比で含有する。このときグリコールエーテル溶媒は、エチレングリコールモノブチルエーテル、ジエチレングリコールモノブチルエーテル、エチレングリコールモノメチルエーテル、エチレングリコールモノエチルエーテル、ジエチレングリコールモノメチルエーテル、ジエチレングリコールモノエチルエーテル、プロピレングリコールモノブチルエーテル、ジプロピレングリコールモノブチルエーテル、エチレングリコールフェニルエーテル及びこれらの混合物から選択される。本明細書に用いるのに好ましい有機アミンは、アルカノールアミン、とりわけモノエタノールアミン、メチルアミンエタノール及び２−アミノ−２−メチルプロパノールである。好ましい組成物では、グリコールエーテルはジエチレングリコールモノブチルエーテル及びプロピレングリコールブチルエーテルの混合物であり、その重量比は好ましくは約１：２〜約２：１である。
【００２７】
本明細書に用いるのに好ましい有機溶媒系は、１ｍｍＨｇ超過で約５０％未満、好ましくは約２０％未満、更に好ましくは約１０％未満の揮発性有機含量を有する。有機溶媒は、約１５０℃未満の沸点、約５０℃未満、好ましくは約１００℃未満の引火点、又は約１ｍｍＨｇ超過の蒸気圧を有する溶媒成分を基本的に含まないことが好ましい。非常に好ましい有機溶媒系は、０．１ｍｍＨｇ超過で約５０％未満、好ましくは約２０％未満、更に好ましくは約１０％未満、より好ましくは約４％未満の揮発性有機含量を有する。
溶媒パラメータに関して、有機溶媒は以下のａ）〜ｅ）から選択することができる。
【００２８】
ａ）　少なくとも２０（Ｍｐａ）１／２のハンセン溶解度パラメータ、少なくとも７（Ｍｐａ）１／２、好ましくは少なくとも１２（Ｍｐａ）１／２の極性パラメータ及び少なくとも１０（Ｍｐａ）１／２の水素結合パラメーターを有する極性の水素結合溶媒。
ｂ）　少なくとも２０（Ｍｐａ）１／２のハンセン溶解度パラメータ、少なくとも７（Ｍｐａ）１／２、好ましくは少なくとも１２（Ｍｐａ）１／２の極性パラメータ及び１０（Ｍｐａ）１／２未満の水素結合パラメーターを有する極性の非水素結合溶媒。
ｃ）　２０（Ｍｐａ）１／２未満のハンセン溶解度パラメータ、少なくとも７（Ｍｐａ）１／２の極性パラメータ及び少なくとも１０（Ｍｐａ）１／２の水素結合パラメーターを有する両親媒性溶媒。
ｄ）　７（Ｍｐａ）１／２未満の極性パラメータ及び１０（Ｍｐａ）１／２未満の水素結合パラメーターを有する非極性溶媒。
ｅ）　これらの混合物。
【００２９】
洗浄性組成物に有機溶媒を使用する場合、一般に問題となるのは溶媒臭である。多くの消費者は溶媒臭を好まず、これらの臭いを「悪臭」と考える。高濃度の香料を使用すれば、このような組成物を、より消費者が受け入れやすいものにすることができる。高濃度の香料を添加すると、組成物の不快な性質を全て変化させたり、減らしたりすることができるが、香料の香りが消えてしまうという好ましくない結果になることが多い。高濃度の香料が組成物の悪臭を適切に変化させたり、隠したり、マスクした場合でも、これらの高濃度の香料は必ずしも香料の本質又は持続期間を向上させる訳ではないため、香料が揮発すると元の悪臭に戻ってしまう。
【００３０】
本明細書で定義する香料物質の組み合わせを選択して、本発明の組成物に添加すると、組成物に溶媒を使用した場合の悪臭を効果的に抑えたり、マスクできることが、現在では知られている。従って、別の観点では、本発明は上述した有機アミン溶媒と溶媒臭マスキング用香料又は香料ベースを含有する硬質表面用洗浄性組成物を提供する。一般に臭いマスキング用香料又は香料ベースは、揮発性及び非揮発性香料物質の混合物を含有し、このとき非揮発性香料物質（１気圧における沸点が２５０℃超過）の濃度は、約２０重量％超過であることが好ましい。好ましい実施例では、香料又は香料ベースは、少なくとも０．００１重量％のイオノン又はイオノン混合物（α、β及びγイオノンを含む）を含有する。好ましいイオノンは、γ−メチルイオノン、Ａｌｖａｎｏｎｅ Ｅｘｔｒａ、Ｉｒｉｓｉａ Ｂａｓｅ、Ｃａｓｓｉｓ Ｂａｓｅ３４５−Ｂ及びこれらの混合物から選択される。香料又は香料ベースは、更にジャコウを含有することがある。ジャコウは約２５０℃超過の沸点を有することが好ましい。好ましいジャコウは、Ｅｘａｌｔｏｌｉｄｅ Ｔｏｔａｌ、Ｈａｂｏｎｏｌｉｄｅ、及びこれらの混合物から選択される。マスキング用香料又は香料ベースは更に、高揮発性香料成分又は約２５０℃未満の沸点を有する成分の混合物を含有することができる。好ましい高揮発性香料成分は、デシルアルデヒド、ベンズアルデヒド、シス−３−ヘキセニルアセテート、アリルアミルグリコレート、ジヒドロミルセノール及びこれらの混合物から選択される。
【００３１】
組成物は、溶媒の悪臭制御を補助するために、更にシクロデキストリンを含有することができる。本明細書に用いるのに好適なシクロデキストリンは、臭いマスキング分子又は香料分子に悪影響を与えずに、溶媒の悪臭の原因となる分子を選択的に吸収できるものである。本明細書に用いる組成物は、組成物の約０．１重量％〜約３重量％、好ましくは約０．５重量％〜約２重量％のシクロデキストリンを含有する。本明細書において使用される用語「シクロデキストリン」は、６〜１２個のグルコース単位を含有する非置換型シクロデキストリン、特にα−シクロデキストリン、β−シクロデキストリン、γ−シクロデキストリン及び／又はそれらの誘導体及び／又はこれらの混合物のような任意の既知のシクロデキストリンを包含する。α−シクロデキストリンは６個のグルコース単位から成り、β−シクロデキストリンは７個のグルコース単位から成り、γ−シクロデキストリンはドーナツ形状の環の中に配置された８個のグルコース単位から成る。グルコース単位の特有の結合及び配置により、シクロデキストリンは、内部に特有な体積の空洞と柔軟性のない円錐状の分子構造を有する。内部の空洞の「内張り」は水素原子及びグリコシド結合する酸素原子によって形成されるため、この表面は完全に疎水性である。空洞の独特の形状及び物理化学的特性は、空洞に組み込むことができる有機分子又は有機分子の一部をシクロデキストリン分子が、吸収すること（それとともに包接複合体を形成すること）を可能にしている。悪臭分子は空洞に組み込むことができる。
【００３２】
好ましいシクロデキストリンは水溶性の高いものであり、例えば、α−シクロデキストリン及びそれらの誘導体、γ−シクロデキストリン及びそれらの誘導体、誘導体化されたβ−シクロデキストリン及び／又はそれらの混合物が挙げられる。シクロデキストリン誘導体は主に、ＯＨ基のいくつかがＯＲ基に変換された分子から成る。シクロデキストリン誘導体には、例えば、短鎖アルキル基を有し、Ｒがメチル基又はエチル基であるもの（例えば、メチル化シクロデキストリン及びエチル化シクロデキストリン）、ヒドロキシアルキル置換基を有し、Ｒが−ＣＨ２−ＣＨ（ＯＨ）−ＣＨ３又は−ＣＨ２ＣＨ２−ＯＨであるもの（例えば、ヒドロキシプロピルシクロデキストリン及び／又はヒドロキシエチルシクロデキストリン）、分岐鎖状シクロデキストリン（例えば、マルトース結合シクロデキストリン）、陽イオン性シクロデキストリン（例えば、２−ヒドロキシ−３−（ジメチルアミノ）プロピルエーテルを含有し、Ｒが低いｐＨにおいて陽イオンであるＣＨ２−ＣＨ（ＯＨ）−ＣＨ２−Ｎ（ＣＨ３）２であるもの）、四級アンモニウム（例えば、２−ヒドロキシ−３−（トリメチルアンモニオ）プロピルエーテルクロリド基）であり、ＲがＣＨ２−ＣＨ（ＯＨ）−ＣＨ２−Ｎ＋（ＣＨ３）３Ｃｌ−であるもの、陰イオン性シクロデキストリン（例えば、カルボキシメチルシクロデキストリン、シクロデキストリンスルフェート及びシクロデキストリンスクシニレート）、両性シクロデキストリン（例えば、カルボキシメチル／四級アンモニウムシクロデキストリン）、少なくとも１つのグルコピラノース単位が３−６−無水−シクロマルト構造（例えば、モノ−３−６−無水シクロデキストリン）を有するシクロデキストリンであって、「Ｏｐｔｉｍａｌ Ｐｅｒｆｏｒｍａｎｃｅｓ ｗｉｔｈ Ｍｉｎｉｍａｌ ｃｈｅｍｉｃａｌ Ｍｏｄｉｆｉｃａｔｉｏｎ ｏｆ Ｃｙｃｌｏｄｅｘｔｒｉｎｓ」（Ｆ． Ｄｉｅｄａｉｎｉ−Ｐｉｌａｒｄ及びＢ． Ｐｅｒｌｙ、第７回国際シクロデキストリンシンポジウム要項集、１９９４年４月、４９頁）に開示されたもの及びそれらの混合物が挙げられる。その他のシクロデキストリン誘導体は、米国特許第３，４２６，０１１号、米国特許第３，４５３，２５７号、米国特許第３，４５３，２５８号、米国特許第３，４５３，２５９号、米国特許第３，４５３，２６０号、米国特許第３，４５９，７３１号、米国特許第３，５５３，１９１号、米国特許第３，５６５，８８７号、米国特許第４，５３５，１５２号、米国特許第４，６１６，００８号、米国特許第４，６７８，５９８号、米国特許第４，６３８，０５８号及び米国特許第４，７４６，７３４号に開示されている。
【００３３】
水溶性の高いシクロデキストリンとは、水への溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン及びヒドロキシプロピルβ−シクロデキストリンである。ヒドロキシアルキルシクロデキストリン誘導体は好ましくは約１〜約１４、さらに好ましくは約１．５〜約７の置換度を有し、その際、シクロデキストリン当りのＯＲ基の総数が置換度として定義される。メチル化シクロデキストリン誘導体は通常、約１〜約１８、好ましくは約３〜約１６の置換度を有する。既知のメチル化β−シクロデキストリンは、一般にＤＩＭＥＢとして知られるヘプタキス−２，６−ジ−Ｏ−メチル−β−シクロデキストリンであり、その際、各グルコース単位は、約１４の置換度と共に約２のメチル基を有する。好ましいメチル化β−シクロデキストリンのうち更に購入しやすいものは、約１２．６の置換度を有する、無作為にメチル化されたβ−シクロデキストリンである。好ましいシクロデキストリンは、例えば、Ａｍｅｒｉｃａｎ Ｍａｉｚｅ−Ｐｒｏｄｕｃｔｓ Ｃｏｍｐａｎｙ及びＷａｃｋｅｒ Ｃｈｅｍｉｃａｌｓ （ＵＳＡ）， Ｉｎｃ．から市販されている。
【００３４】
本発明の組成物は、調理かす、焼きつき、又は焦げつき（又はその他の乾燥した汚れ）で汚れた調理器具又は食卓用食器具を前処理する際に直接適用する場合に特に有用である。組成物は、自動又は手動で食器を洗ったり、すすいだり、拭き取る前に、スプレー又は泡などの形態で汚れた基材に適用する。前処理した調理器具又は食卓用食器具は非常に滑りやすく、その結果、すすぎ中及びすすぎ後の取り扱いが困難であると感じることがある。このことは、２価の陽イオンを使用することにより解決することができる。この２価の陽イオンには、例えばマグネシウム塩及びカルシウム塩があり、特に本明細書に用いるのに好適なのは塩化マグネシウムである。約０．０１重量％〜約５重量％、好ましくは約０．１重量％〜約３重量％、更に好ましくは約０．４重量％〜約２重量％のマグネシウム塩を添加すると、前処理用組成物の物理的特性の安定度に悪影響を与えることなく、調理器具又は食卓用食器具表面の滑りやすい特性を除くことができる。本発明の組成物は、自動食器洗い洗剤組成物又はその成分としても使用することができる。
【００３５】
方法の観点において、本発明は、調理器具及び食卓用食器具から調理汚れ、焼きつき汚れ及び焦げつき汚れを除去する方法を提供し、この方法は、本発明の硬質表面用洗浄性組成物で調理器具／食卓用食器具を処理することを含む。また、金属製調理器具及び食卓用食器具から重合油脂又は炭水化物の調理汚れ、焼きつき汚れ及び焦げつき汚れを除去する方法も提供し、この方法は、本発明の硬質表面用洗浄性組成物で調理器具／食卓用食器具を処理することを含む。これらの方法は、自動又は手動で食器を洗浄する前に、本発明の組成物で調理器具／食卓用食器具を前処理する工程を含む。望ましい場合には、本発明の洗浄性組成物を適用した後、汚れた基材をクリングフィルムで覆い、汚れを膨潤させて、調理汚れ、焼きつき汚れ及び焦げつき汚れの除去工程を容易にすることができる。クリングフィルムは、約１時間以上、好ましくは約６時間以上適用することが好ましい。
【００３６】
（発明の詳細な説明）
本発明は、調理汚れ、焼きつき汚れ及び焦げつき汚れで汚れた調理器具及び食卓用食器具を前処理し、その後の洗浄を容易にするための硬質表面洗浄性組成物を想定している。これらの効果は、主に、組成物に汚れを膨潤させる有機アミン溶媒を添加することにより得られる。また、本発明は、上述した汚れを除去する方法についても想定している。
汚れ膨潤剤とは、上述したような調理汚れ、焼きつき汚れ及び焦げつき汚れを膨潤させる効果のある物質又は組成物である。本明細書に用いるのに好ましい汚れ膨潤剤には、有機アミン溶媒が含まれる。
拡散助剤とは、上述したような表面張力を低下させる性質を有する物質又は組成物である。本明細書に用いるのに好適な拡散助剤には、シリコーン界面活性剤及びアミンオキシド界面活性剤などの界面活性剤（特に、約２５ｍＮ／ｍ未満の表面張力を有するもの）、有機溶媒及びこれらの混合物が含まれる。
【００３７】
一般に、本明細書に用いる有機溶媒は、調理器具／食卓用食器具や自動食器洗い機の種々の部品と適合性を有するように選択する必要がある。更に、溶媒系は、１ｍｍＨｇ超過（好ましくは０．１ｍｍＨｇ超過）において、溶媒系の約５０重量％未満、好ましくは約３０重量％未満、更に好ましくは約１０重量％未満、より好ましくは約４重量％未満の揮発性有機含量を有するため、効率的で安全に使用する必要がある。また、溶媒系の臭いは、極めてマイルドで心地良いものである必要がある。本明細書において使用する個々の有機溶媒は、一般に約１５０℃超過の沸点、約５０℃超過、好ましくは１００℃未満の引火点、及び２５℃で約１ｍｍＨｇ未満、好ましくは０．１ｍｍＨｇ未満且つ気圧未満の蒸気圧を有する。更に、個々の有機溶媒は、約５００ｃｍ３／モル未満、好ましくは約２５０ｃｍ３／モル未満、更に好ましくは約２００ｃｍ３／モル未満のモル体積を有することが好ましい。これらのモル体積は、最適に汚れに浸透し、汚れを膨潤させるという観点から好ましいものである。
【００３８】
本明細書に使用可能な溶媒には、以下のｉ）〜ｖ）が含まれる。ｉ）アルコール。例えば、ベンジルアルコール、１，４−シクロヘキサンジメタノール、２−エチル−１−ヘキサノール、フルフリルアルコール、１，２−ヘキサンジオール及びその他類似の物質。ｉｉ）アミン。例えば、アルカノールアミン（例えば、一級アルカノールアミン（モノエタノールアミン、モノイソプロパノールアミン、ジエチルエタノールアミン、エチルジエタノールアミン、β−アミノアルカノール）、二級アルカノールアミン（ジエタノールアミン、ジイソプロパノールアミン、２−（メチルアミノ）エタノール）、三級アルカノールアミン（トリエタノールアミン、トリイソプロパノールアミン））、アルキルアミン（一級アルキルアミン（モノメチルアミン、モノエチルアミン、モノプロピルアミン、モノブチルアミン、モノペンチルアミン、シクロヘキシルアミン）、二級アルキルアミン（ジメチルアミン））、アルキレンアミン（一級アルキレンアミン（エチレンジアミン、プロピレンジアミン））及びその他類似の物質。ｉｉｉ）エステル。例えば、乳酸エチル、メチルエステル、アセト酢酸エチル、エチレングリコールモノブチルエーテルアセテート、ジエチレングリコールモノエチルエーテルアセテート、ジエチレングリコールモノブチルエーテルアセテート及びその他類似の物質。ｉｖ）グリコールエーテル。例えば、エチレングリコールモノブチルエーテル、ジエチレングリコールモノブチルエーテル、エチレングリコールモノメチルエーテル、エチレングリコールモノエチルエーテル、ジエチレングリコールモノメチルエーテル、ジエチレングリコールモノエチルエーテル、プロピレングリコールブチルエーテル及びその他類似の物質。ｖ）グリコール。例えば、プロピレングリコール、ジエチレングリコール、ヘキシレングリコール（２−メチル−２，４−ペンタンジオール）、トリエチレングリコール、組成物及びジプロピレングリコール及びその他類似の物質及びこれらの混合物。
【００３９】
汚れ膨潤剤として本明細書に用いるのに好ましい溶媒には、アルカノールアミン（とりわけモノエタノールアミン）、β−アミノアルカノール（とりわけ２−アミノ−２−メチルプロパノール（第三炭素にアミン基を有するβ−アミノアルカノールの中で最も分子量が小さいため、アミン基の反応性を最低限に抑える））及びこれらの混合物が含まれる。
拡散助剤として本明細書に用いるのに好ましい溶媒には、グリコール及びグリコールエーテルが含まれ、とりわけジエチレングリコールモノブチルエーテル、プロピレングリコールブチルエーテル及びこれらの混合物が含まれる。
【００４０】
汚れ膨潤剤及び拡散助剤とは別に、本明細書における硬質表面洗浄性組成物は追加成分を含有することができる。これには、上述した湿潤剤以外の界面活性剤、ビルダー、酵素、漂白剤、アルカリ性成分、増粘剤、安定化成分、香料、研磨材などが含まれる。また、組成物は、キャリア又は希釈機能（汚れの膨潤又は拡散とは対立する）、あるいはその他の特定機能を有する有機溶媒も含有することができる。組成物はいずれか好適な容器から提供することができる。この容器には、例えば、ボトル（ポンプ付きボトル、スクイーズボトル）、ペーストディスペンサー、カプセル、パウチ及び多区画パウチなどがある。
【００４１】
界面活性剤
自動食器洗いに使用する本発明の組成物及び方法において、洗剤界面活性剤は、単独でも、その他の成分（つまり、石鹸泡抑制剤）との組み合わせにおいても、低発泡性であることが好ましい。本発明の組成物及び方法において、硬質表面の洗浄又は食器洗いの前処理に使用するために、洗剤界面活性剤は、直接適用するには発泡性であり、自動食器洗いに使用するには低発泡性であることが好ましい。本明細書に好適な界面活性剤には、陰イオン性界面活性剤（例えば、アルキルスルフェート、アルキルエーテルスルフェート、アルキルベンゼンスルホネート、アルキルグリセリルスルホネート、アルキル及びアルケニルスルホネート、アルキルエトキシカルボキシレート、Ｎ−アシルサルコシネート、Ｎ−アシルタウレート、アルキルサクシネート及びスルホサクシネートなどがあり、これらのアルキル、アルケニル又はアシル部分は、Ｃ５〜Ｃ２０、好ましくはＣ１０〜Ｃ１８の直鎖又は分岐鎖状である）、陽イオン性界面活性剤（例えば、塩素エステル（米国特許第４，２２８，０４２号、米国特許第４，２３９，６６０号、及び米国特許第４，２６０，５２９号）及びモノＣ６〜Ｃ１６Ｎ−アルキル又はアルケニルアンモニウム界面活性剤などがあり、これらの残存Ｎ位はメチル基、ヒドロキシエチル基又はヒドロキシプロピル基で置換されている）、低曇点及び高曇点の非イオン性界面活性剤及びそれらの混合物（例えば、非イオン性アルコキシル化界面活性剤（とりわけＣ６〜Ｃ１８の一級アルコールから誘導されたエトキシレート）、エトキシル化〜プロポキシル化アルコール（例えば、Ｏｌｉｎ ＣｏｒｐｏｒａｔｉｏｎのＰｏｌｙ−Ｔｅｒｇｅｎｔ（登録商標）ＳＬＦ１８）、エポキシ末端保護ポリ（オキシアルキル化）アルコール（例えば、Ｏｌｉｎ ＣｏｒｐｏｒａｔｉｏｎのＰｏｌｙ−Ｔｅｒｇｅｎｔ（登録商標）ＳＬＦ１８Ｂ、ＷＯ−Ａ−９４／２２８００参照）、エーテル末端保護ポリ（オキシアルキル化）アルコール界面活性剤及びブロックポリオキシエチレン〜ポリオキシプロピレン高分子化合物（例えば、ＢＡＳＦ−Ｗｙａｎｄｏｔｔｅ Ｃｏｒｐ．（ミシガン州ワイアンドット）から市販されているＰＬＵＲＯＮＩＣ（登録商標）、ＲＥＶＥＲＳＥＤ ＰＬＵＲＯＮＩＣ（登録商標）、及びＴＥＴＲＯＮＩＣ（登録商標））、両性界面活性剤（例えば、Ｃ１２〜Ｃ２０のアルキルアミンオキシド（本明細書に使用するのに好ましいアミンオキシドには、ラウリルジメチルアミンオキシド及びヘキサデシルジメチルアミンオキシドが含まれる）及びアルキル両性カルボン酸界面活性剤（例えば、Ｍｉｒａｎｏｌ（商標）Ｃ２Ｍ））、双性界面活性剤（例えば、ベタイン及びスルタイン）及びこれらの混合物が含まれる。本明細書において好適な界面活性剤は、例えば、米国特許第３，９２９，６７８号、米国特許第４，２５９，２１７号、欧州特許第０，４１４，５４９号、ＷＯ−Ａ−９３／０８８７６号、及びＷＯ−Ａ−９３／０８８７４号に開示されている。界面活性剤は典型的に、組成物の約０．２重量％〜約３０重量％、更に好ましくは約０．５重量％〜約１０重量％、最も好ましくは約１重量％〜約５重量％の割合で存在する。自動食器洗いにおいて本明細書に用いるのに好ましい界面活��剤は低発泡性であり、低曇点非イオン性界面活性剤、及び高発泡性界面活性剤と低曇点非イオン性界面活性剤（この場合、石鹸泡抑制剤として働く）との混合物が含まれる。
【００４２】
ビルダー
本明細書の洗浄性組成物に用いるのに好適なビルダーには、水溶性ビルダー（例えば、クエン酸塩、炭酸塩及びポリリン酸塩（例えば、トリポリリン酸ナトリウム及びトリポリリン酸ナトリウム６水和物、トリポリリン酸カリウム及びトリポリリン酸ナトリウム及びカリウムの混合物））及び部分水溶性又は不溶性ビルダー（例えば、結晶性層状ケイ酸塩（欧州特許第０，１６４，５１４号及び欧州特許第０，２９３，６４０号）及びアルミノケイ酸塩（ゼオライトＡ、Ｂ、Ｐ、Ｘ、ＨＳ、及びＭＡＰなど））が含まれる。ビルダーは典型的に、組成物の約１重量％〜約８０重量％、好ましくは約１０重量％〜約７０重量％、最も好ましくは約２０重量％〜約６０重量％の割合で存在する。
本明細書に用いるのに好ましい組成物は、アルミニウムやある種の塗面への損傷を防ぐために、ケイ酸塩を含有する。ＳｉＯ２：Ｎａ２Ｏの比が１．８〜３．０、好ましくは１．８〜２．４、最も好ましくは２．０である非晶性ケイ酸ナトリウムも、本明細書において使用することができる。ただし、長期保存安定性の観点から、非常に好ましいのは、総ケイ酸塩（非晶性及び結晶性）を約２２％未満、好ましくは約１５％未満含有する組成物である。
【００４３】
酵素
本明細書において好適な酵素には、細菌及び真菌セルラーゼ（例えば、Ｃａｒｅｚｙｍｅ及びＣｅｌｌｕｚｙｍｅ（Ｎｏｖｏ Ｎｏｒｄｉｓｋ Ａ／Ｓ））、ペルオキシダーゼ、リパーゼ（例えば、Ａｍａｎｏ−Ｐ（Ａｍａｎｏ Ｐｈａｒｍａｃｅｕｔｉｃａｌ Ｃｏ．）、Ｍ１Ｌｉｐａｓｅ（登録商標）及びＬｉｐｏｍａｘ（登録商標）（Ｇｉｓｔ−Ｂｒｏｃａｄｅｓ）、並びにＬｉｐｏｌａｓｅ（登録商標）及びＬｉｐｏｌａｓｅ Ｕｌｔｒａ（登録商標）（Ｎｏｖｏ））、クチナーゼ、プロテアーゼ（例えば、Ｅｓｐｅｒａｓｅ（登録商標）、Ａｌｃａｌａｓｅ（登録商標）、Ｄｕｒａｚｙｍ（登録商標）、及びＳａｖｉｎａｓｅ（登録商標）（Ｎｏｖｏ）、並びにＭａｘａｔａｓｅ（登録商標）、Ｍａｘａｃａｌ（登録商標）、Ｐｒｏｐｅｒａｓｅ（登録商標）、及びＭａｘａｐｅｍ（登録商標）（Ｇｉｓｔ−Ｂｒｏｃａｄｅｓ））、α及びβアミラーゼ（例えば、Ｐｕｒａｆｅｃｔ Ｏｘ Ａｍ（登録商標）（Ｇｅｎｅｎｃｏｒ）、並びにＴｅｒｍａｍｙｌ（登録商標）、Ｂａｎ（登録商標）、Ｆｕｎｇａｍｙｌ（登録商標）、Ｄｕｒａｍｙｌ（登録商標）及びＮａｔａｌａｓｅ（登録商標）（Ｎｏｖｏ））及びこれらの混合物が含まれる。酵素は、本明細書において小球状、粒状、又は共粒状の形態で添加し、純粋な酵素として典型的に組成物の約０．０００１重量％〜約２重量％の割合で存在することが好ましい。
【００４４】
漂白剤
本明細書において好適な漂白剤には、塩素漂白剤及び酸素漂白剤が含まれ、とりわけ無機過水和物塩（例えば、過ホウ酸ナトリウム１水和物及び４水和物及び放出率を制御するために任意にコーティングした過炭酸ナトリウム）（例えば、硫酸塩／炭酸塩コーティングに関しては英国特許第１，４６６，７９９号を参照）、有機過オキソ酸漂白剤前駆体及び／又は遷移金属コーティング漂白剤触媒（とりわけマンガン又はコバルト）を有する前形成有機過オキソ酸及びこれらの混合物が含まれる。無機過水和物塩は典型的に、組成物の約１重量％〜約４０重量％、好ましくは約２重量％〜約３０重量％、更に好ましくは約５重量％〜約２５重量％の割合で添加する。本明細書に用いるのに好ましい過オキソ酸漂白剤前駆体には、過安息香酸及び置換型過安息香酸の前駆体、陽イオン性過オキソ酸前駆体、過酢酸前駆体（例えば、ＴＡＥＤ、アセトキシベンゼンスルホン酸ナトリウム及びペンタアセチルグルコース）、過ノナン酸前駆体（例えば、３，５，５−トリメチルヘキサノイルオキシベンゼンスルホン酸ナトリウム（イソ−ＮＯＢＳ）及びノナノイルオキシベンゼンスルホン酸ナトリウム（ＮＯＢＳ））、アミド置換型アルキル過オキソ酸前駆体（欧州特許第０，１７０，３８６号）、及びベンゾオキサジン過オキソ酸前駆体（欧州特許第０，３３２，２９４号及び欧州特許第０，４８２，８０７号）が含まれる。漂白剤前駆体は典型的に、組成物の約０．５重量％〜約２５重量％、好ましくは約１重量％〜約１０重量％の割合で添加する。一方、前形成有機過オキソ酸は典型的に、組成物の約０．５重量％〜約２５重量％、好ましくは約１重量％〜約１０重量％の割合で添加する。本明細書に用いるのに好ましい漂白剤触媒には、トリアザシクロノナンマンガン及び関連錯体（米国特許第４，２４６，６１２号、米国特許第５，２２７，０８４号）、ビスピリジルアミンＣｏ、Ｃｕ、Ｍｎ、Ｆｅ及び関連錯体（米国特許第５，１１４，６１１号）、並びにペンタミンアセテートコバルト（ＩＩＩ）及び関連錯体（米国特許第４，８１０，４１０号）が含まれる。
【００４５】
低曇点非イオン性界面活性剤及び石鹸泡抑制剤
本明細書に用いるのに好適な石鹸泡抑制剤には、低曇点を有する非イオン性界面活性剤が含まれる。「曇点」とは、本明細書で使用する時、非イオン性界面活性剤の既知の特性であり、温度が上昇すると可溶性が低下する界面活性剤で生じるもので、異なる相が現れる温度を「曇点」と呼ぶ（Ｋｉｒｋ Ｏｔｈｍｅｒ、３６０〜３６２頁参照）。本明細書で使用する時、「低曇点」非イオン性界面活性剤とは、３０℃未満、好ましくは約２０℃未満、更に好ましくは約１０℃未満、最も好ましくは約７．５℃未満の曇点を有する非イオン性界面活性剤系成分として定義される。典型的な低曇点非イオン性界面活性剤には、非イオン性アルコキシル化界面活性剤（とりわけ一級アルコールから誘導されたエトキシレート）及びポリオキシプロピレン／ポリオキシエチレン／ポリオキシプロピレン（ＰＯ／ＥＯ／ＰＯ）逆ブロックポリマーが含まれる。また、これらの低曇点非イオン性界面活性剤には、例えば、エトキシル化〜プロポキシル化アルコール（例えば、Ｏｌｉｎ ＣｏｒｐｏｒａｔｉｏｎのＰｏｌｙ−Ｔｅｒｇｅｎｔ（登録商標）ＳＬＦ１８）及びエポキシ末端保護ポリ（オキシアルキル化）アルコール（例えば、Ｏｌｉｎ ＣｏｒｐｏｒａｔｉｏｎのＰｏｌｙ−Ｔｅｒｇｅｎｔ（登録商標）ＳＬＦ１８Ｂシリーズ、非イオン性物質として米国特許第５，５７６，２８１号に記述されている）が含まれる。
好ましい低曇点界面活性剤は、以下の式を有するエーテル末端保護ポリ（オキシアルキル化）石鹸泡抑制剤である。
【００４６】
【化１】
2004506750.tif 000002
【００４７】
Ｒ１は平均約７〜約１２個の炭素原子を有する直鎖アルキル炭化水素であり、Ｒ２は約１〜約４個の炭素原子を有する直鎖アルキル炭化水素であり、Ｒ３は約１〜約４個の炭素原子を有する直鎖アルキル炭化水素であり、ｘは約１〜約６の整数、ｙは約４〜約１５の整数及びｚは約４〜約２５の整数である。
その他の低曇点非イオン性界面活性剤は、以下の式を有するエーテル末端保護ポリ（オキシアルキル化）である。
ＲＩＯ（ＲＩＩＯ）ｎＣＨ（ＣＨ３）ＯＲＩＩＩ
ＲＩは約７〜約１２個の炭素原子を有する直鎖又は分岐鎖、飽和又は不飽和、置換型又は非置換型、脂肪族又は芳香族の炭化水素基から成る群から選択され、ＲＩＩは同じ基でも異なる基でもよく、上記のいずれかの分子のうち、分岐鎖又は直鎖状Ｃ２〜Ｃ７のアルキレンから成る群から独立して選択され、ｎは１〜約３０の数であり、ＲＩＩＩは以下の群から選択される。
【００４８】
（ｉ）１〜３個のヘテロ原子を有する４〜８員環の置換型又は非置換型複素環、及び
（ｉｉ）約１〜約３０個の炭素原子を有する直鎖又は分岐鎖、飽和又は不飽和、置換型又は非置換型、環式又は非環式、脂肪族又は芳香族の炭化水素基。
（ｂ）Ｒ２が（ｉｉ）の場合、（Ａ）Ｒ１の少なくとも１つがＣ２〜Ｃ３アルキレン以外のものであるか、あるいは（Ｂ）Ｒ２が６〜３０個の炭素原子を有し、更にＲ２が８〜１８個の炭素原子を有する場合、ＲはＣ１〜Ｃ５アルキル以外のものである。
【００４９】
本明細書に好適なその他の成分には、分散性、再付着防止性、汚れ放出性又はその他の洗浄特性の発明を有する有機ポリマーが含まれる。その割合は、組成物の約０．１重量％〜約３０重量％、好ましくは約０．５重量％〜約１５重量％、最も好ましくは約１重量％〜約１０重量％である。本明細書において好ましい再付着防止ポリマーには、ポリマー含有アクリル酸（例えば、ＳｏｋａｌａｎＰＡ３０、ＰＡ２０、ＰＡ１５、ＰＡ１０及びＳｏｋａｌａｎＣＰ１０（ＢＡＳＦ ＧｍｂＨ）、Ａｃｕｓｏｌ４５Ｎ、４８０Ｎ、４６０Ｎ（Ｒｏｈｍ ａｎｄ Ｈａａｓ））、アクリル酸／マレイン酸コポリマー（例えば、ＳｏｋａｌａｎＣＰ５）、及びアクリル／メタクリルコポリマーが含まれる。本明細書において好ましい汚れ放出ポリマーには、アルキル及びヒドロキシアルキルセルロース（米国特許第４，０００，０９３号）、ポリオキシエチレン、ポリオキシプロピレン及びこれらのコポリマー、並びにエチレングリコール、プロピレングリコール及びこれらの混合物のテレフタレートエステルに基づく非イオン性及びアニオン性ポリマーが含まれる。
【００５０】
重金属イオン封鎖剤及び結晶成長阻害剤は、一般に組成物の約０．００５重量％〜約２０重量％、好ましくは約０．１重量％〜約１０重量％、更に好ましくは約０．２５重量％〜約７．５重量％、最も好ましくは約０．５重量％〜約５重量％の割合で本明細書に用いるのに好適である。これらには、例えば、ジエチレントリアミンペンタ（メチレンホスホネート）、エチレンジアミンテトラ（メチレンホスホネート）、ヘキサメチレンジアミンテトラ（メチレンホスホネート）、エチレンジホスホネート、ヒドロキシエチレン−１，１−ジホスホネート、ニトリロトリアセテート、エチレンジアミノテトラアセテート、エチレンジアミン−Ｎ，Ｎ’−ジサクシネートの塩及び遊離酸の形態が挙げられる。
【００５１】
本明細書における組成物は、腐食防止剤を含有することができる。これには、例えば、組成物の約０．０５重量％〜約１０重量％、好ましくは約０．１重量％〜約５重量％の割合で含有される有機銀コーティング剤（とりわけ、Ｗｉｎｔｅｒｓｈａｌｌ（ドイツ、ザルツバーゲン）から市販されているＷｉｎｏｇ７０などのパラフィン）、窒素含有腐食防止剤化合物（例えば、ベンゾトリアゾール及びベンズイマダゾール−英国特許第１，１３７，７４１号参照）、及び組成物の約０．００５重量％〜約５重量％、好ましくは約０．０１重量％〜約１重量％、更に好ましくは約０．０２重量％〜約０．４重量％の割合で含有されるＭｎ（ＩＩ）化合物（とりわけ、有機配位子のＭｎ（ＩＩ）塩）が挙げられる。
【００５２】
本明細書におけるその他の好適な成分には、着色剤、約０．０１％〜約５％の割合で含有される水溶性ビスマス化合物（例えば、酢酸ビスマス及びクエン酸ビスマス）、約０．０１％〜約６％の割合で含有される酵素安定剤（例えば、カルシウムイオン、ホウ酸、プロピレングリコール及び塩素漂白剤捕捉剤）、石灰石鹸分散剤（ＷＯ−Ａ−９３／０８８７７号参照）、石鹸泡抑制剤（ＷＯ−Ａ−９３／０８８７６号及び欧州特許第０，７０５，３２４号参照）、ポリマー染料転移阻害剤、光学的光沢剤、香料、充填剤及び粘土が含まれる。
液体洗剤組成物は、キャリアとして水及びその他の揮発性溶媒を含有することができる。本発明の液体洗剤には、少量の低分子量一級又は二級アルコール（例えば、メタノール、エタノール、プロパノール及びイソプロパノール）を使用することができる。少量で使用されるその他の好適なキャリア溶媒には、グリセロール、プロピレングリコール、エチレングリコール、１，２−プロパンジオール、ソルビトール及びこれらの混合物が含まれる。
【００５３】
臭いマスキングベース
臭いマスキングベース（この単語には、完全処方の臭いマスキング香料又はその中に使用するベース組成物が含まれる）は、イオノン、ジャコウ及び高揮発性香料の混合物であることが好ましい。臭いマスキングベースの濃度は、組成物の約０．００１重量％〜約３重量％、好ましくは約０．００６重量％〜約２．５重量％、更に好ましくは約０．００７５重量％〜約１重量％の範囲であることが好ましい。
【００５４】
臭いマスキングベースのイオノン、ジャコウ及び高揮発性香料は、各成分の沸点の範囲に１つの特徴を有する。イオノン及びジャコウは、１気圧において約２５０℃超過の沸点を有することが好ましい。一方、高揮発性香料成分は、１気圧において約２５０℃未満の沸点を有する。多くの香料物質の沸点は、例えば、「Ｐｅｒｆｕｍｅ ａｎｄ Ｆｌａｖｏｒ Ｃｈｅｍｉｃａｌｓ（Ａｒｏｍａ Ｃｈｅｍｉｃａｌｓ）」（Ｓ． Ａｒｃｔａｎｄｅｒ、著者出版、１９６９年）に開示されている。その他の沸点は、種々の化学ハンドブック及びデータベース（例えば、ｔｈｅ Ｂｅｉｌｓｔｅｉｎ Ｈａｎｄｂｏｏｋ、Ｌａｎｇｅ’ｓ Ｈａｎｄｂｏｏｋ ｏｆ Ｃｈｅｍｉｓｔｒｙ、及びｔｈｅ ＣＲＣ Ｈａｎｄｂｏｏｋ ｏｆ Ｃｈｅｍｉｓｔｒｙ ａｎｄ Ｐｈｙｓｉｃｓ）から得ることができる。異なる圧力（通常、１標準気圧より低い圧力）における沸点だけが提示されている場合、標準圧又は外気圧における沸点は、沸点−圧力計算図表を使用して概算することができる。この沸点−圧力計算図表には、例えば「Ｔｈｅ Ｃｈｅｍｉｓｔ’ｓ Ｃｏｍｐａｎｉｏｎ」（Ａ． Ｊ． Ｇｏｒｄｏｎ及びＲ． Ａ． Ｆｏｒｄ、Ｊｏｈｎ Ｗｉｌｅｙ ＆ Ｓｏｎｓ Ｐｕｂｌｉｓｈｅｒｓ、１９７２年、３０〜３６頁）に記載されているものがある。適用可能な場合には、沸点を分子構造データに基づいてコンピュータプログラムで計算することもできる。このようなプログラムには、例えば「Ｃｏｍｐｕｔｅｒ−Ａｓｓｉｓｔｅｄ Ｐｒｅｄｉｃｔｉｏｎ ｏｆ Ｎｏｒｍａｌ Ｂｏｉｌｉｎｇ Ｐｏｉｎｔｓ ｏｆ Ｐｙｒａｎｓ ａｎｄ Ｐｙｒｒｏｌｅｓ」（Ｄ． Ｔ．Ｓｔａｎｔｏｎら、Ｊ． Ｃｈｅｍ． Ｉｎｆ． Ｃｏｍｐｕｔ． Ｓｃｉ．、３２、１９９２年、３０６〜３１６頁）、「Ｃｏｍｐｕｔｅｒ−Ａｓｓｉｓｔｅｄ Ｐｒｅｄｉｃｔｉｏｎ ｏｆ Ｎｏｒｍａｌ Ｂｏｉｌｉｎｇ Ｐｏｉｎｔｓ ｏｆ Ｆｕｒａｎｓ， Ｔｅｔｒａｈｙｄｒｏｆｕｒａｎｓ， ａｎｄ Ｔｈｉｏｐｈｅｎｅｓ」（Ｄ． Ｔ． Ｓｔａｎｔｏｎら、Ｊ． Ｃｈｅｍ． Ｉｎｆ． Ｃｏｍｐｕｔ． Ｓｃｉ．、３１、１９９２年、３０１〜３１０頁）及びこれらの中で引用している参照文献、並びに「Ｐｒｅｄｉｃｔｉｎｇ Ｐｈｙｓｉｃａｌ Ｐｒｏｐｅｒｔｉｅｓ ｆｒｏｍ Ｍｏｌｅｃｕｌａｒ Ｓｔｒｕｃｔｕｒｅ」（Ｒ． Ｍｕｒｕｇａｎら、Ｃｈｅｍｔｅｃｈ、１９９４年６月、１７〜２３頁）に記述されているものがある。
臭いマスキングベースのイオノン香料、高揮発性香料及びジャコウ成分の各成分について、以下に詳細に記述する。
【００５５】
高揮発性香料
臭いマスキングベースの高揮発性香料は、悪臭溶媒と競合して鼻のレセプター受容体部に到達する香料物質を含有する。これらの高揮発性香料は、脳に最初に認識され、識別される臭いであり、嗅覚における溶媒認識を阻害又はマスクすることに役立つ。高揮発性香料の濃度は、臭いマスキングベースの約１５重量％〜約８５重量％、好ましくは約２０重量％〜約８０重量％、更に好ましくは約３５重量％〜約７５重量％、より好ましくは約４５重量％〜約６５重量％である。
高揮発性香料は、臭いマスキングベースのイオノン及びジャコウ成分より揮発性が高く、１気圧において約２５０℃未満、好ましくは約２３０℃未満、更に好ましくは約２２０℃未満の沸点を有する。これらの高揮発性香料は、約２〜１５個の炭素原子を有するアルデヒド、約３〜１５個の炭素原子を有するエステル、約４〜１２個の炭素原子を有するアルコール、約４〜１３個の炭素原子を有するエーテル、約３〜１２個の炭素原子を有するケトン又はこれらの組み合わせとして分類される。
【００５６】
好適なアルデヒドの例には、ｎ−デシルアルデヒド、１０−ウンデセン−１−アル、ドデカナール、３，７−ジメチル−７−ヒドロキシオクタン−１−アル、２，４−ジメチル−３−シクロヘキセンカルボキシアルデヒド、ベンズアルデヒド、アニスアルデヒド及びこれらの混合物が含まれるが、これらに限定されない。
好適なエーテルの例には、エチルアセテート、シス−３−ヘキセニルアセテート、２，６−ジメチル−２，６−オクタジエン−８−イルアセテート、ベンジルアセテート、１，１−ジメチル−２−フェニルアセテート、２−ペンチルオキシアリルエステル、アリルヘキサノエート、メチル−２−アミノベンゾエート及びこれらの混合物が含まれるが、これらに限定されない。
【００５７】
好適なアルコールの例には、ｎ−オクチルアルコール、β−γ−ヘキセノール、２−トランス−６−シス−ノナジエン−１−オル、３，７−ジメチル−トランス−２，６−オクタジエン−１−オル、３，７−ジメチル−６−オクテン−１−オル、３，７−ジメチル−１，６−オクタジエン−３−オル、２，６−ジメチル−７−オクテン−２−オル、２−フェニルエチルアルコール、２−シス−３，７−ジメチル−２，６−オクタジエン−１−オル、１−メチル−４−イソプロピル−１−シクロヘキセン−８−オル及びこれらの混合物が含まれるが、これらに限定されない。
好適なエーテルの例には、アミルクレゾールオキシド、４−エトキシ−１−メチル−ベンゾール、４−メトキシ−１−メチルベンゼン、メチルフェニルエチルエーテル及びこれらの混合物が含まれるが、これらに限定されない。
【００５８】
好適なケトンの例には、ジメチルアセトフェノン、エチル−ｎ−アミルケトン、２−ヘプタノン、２−オクタノン、３−メチル−２−（シス−２−ペンテン−１−イル）−２−シクロペンテン−１−オン、１−１−メチル−４−イソプロペニル−６−シクロヘキセン−２−オン、パラ−第三級アミルシクロヘキサノン及びこれらの混合物が含まれるが、これらに限定されない。
好ましい高揮発性香料には、２−ペンチルオキシアリルエステル（Ａｌｌｙｌ Ａｍｙｌ Ｇｌｙｃｏｌａｔｅの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、ベンズアルデヒド（Ａｍａｎｄｏｌの商標でＲｈｏｎｅ−Ｐｏｕｌｅｎｃ， Ｉｎｃ（米国ニュージャージー州プリンストン）から市販されている）、シス−３−ヘキセニルアセテート（Ｖｅｒｄｕｒａｌ ｅｘｔｒａの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、２，６−ジメチル−７−オクテン−２−オル（Ｄｉｈｙｄｒｏｍｙｒｃｅｎｏｌの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、パラ−第三級アミルシクロヘキサノン（Ｏｒｉｖｏｎｅの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、ｎ−デシルアルデヒド（Ｄｅｃｙｌ Ａｌｄｅｈｙｄｅの商標でＡｃｅｔｏ， Ｃｏｒｐ．（米国ニューヨーク州レークサクセス）から市販されている）及びこれらの混合物が含まれる。
好適な高揮発性香料の例及びそれらの１気圧における沸点は、米国特許第５，９１９，４４０号に開示されているが、これらに限定されない。
【００５９】
イオノン
臭いマスキングベースは、イオノン香料成分（つまり、イオノン又はイオノン混合物）を、臭いマスキングベースの約１５重量％〜約８０重量％、好ましくは約１６重量％〜約６０重量％、更に好ましくは約１６重量％〜約４０重量％の濃度で含有することが好ましい。イオノンは、天然油に由来するか、合成的に作られる香料化学物質においてよく知られた種類であり、典型的に無色又は淡黄色の液体で、森林スミレのような香りを呈する。
【００６０】
臭いマスキングベースに使用するイオノン香料は、１気圧において約２５０℃超過、好ましくは約２５５℃超過、更に好ましくは約２６０℃超過の沸点を有し、このときイオノン香料は、メチルイオノン、αイオノン、βイオノン、γイオノン又はこれらの組み合わせから選択されることが好ましい。
好適なイオノンの例には、１−（２，６，６−トリメチル−２−シクロヘキセン−１−イル）−１，６−ヘプタジエン−３−−オン、２−アリル−パラ−メンテン−（４（８））−オノ−３、擬似アリル−α−イオノン、α−シトリリデンシクロペンタノン、５−（２，６，６−トリメチル−２−シクロヘキセン−１−イル）−４−メチル−４−ペンテン−３−オン、６−（２，６，６−トリメチル−２−シクロヘキセン−１−イル）−１−メチル−５−ヘキセン−４−オン、２，６，６−トリメチルシクロヘキシル−１−ブテノン−３、ジヒドロ−α−イオノン、４−（２，６，６−トリメチルシクロヘキセン−１−イル）−ブタン−２−オン、４−（２−メチレン−６，６−ジメチルシクロヘキシル）−ブタン−２−オン、１−（２，５，６，６−テトラメチル−２−シクロヘキセニル）−ブタン−３−オン、ジヒドロ−β−イロン、ジヒドロ−γ−イロン、５−（２，６，６−トリメチル−２−シクロヘキセニル）−ペンタン−３−オン、シヒドロ−イソ−メチル−β−イオノン、６−（２，６，６−トリメチル−２−シクロヘキセン−１−イル）−５−ヘキセン−４−オン、α−エチル−２，２，６−トリメチルシクロヘキサンブチルアルデヒド、４−メチル−６−（１，１，３−トリメチル−２’−シクロヘキセン−２’−イル）−３，５−ヘキサジエン−２−オン、６，１０−ジメチルウンデカン−２−オン、６−（２，６，６−トリメチル−１−シクロヘキセン−１−イル）−１−メチル−２，５−ヘキサジエン−４−オン、６−（２，６，６−トリメチル−２−シクロヘキセン−１−イル）−１−メチル−２，５−ヘキサジエン−４−オン、４−（２，２，６−トリメチル−２−シクロヘキセン−１−イル）−３−ブテン−２−オン、４−（２，６，６−トリメチル−１−シクロヘキセン−１−イル）−３−ブテン−２−オン、４−（２−メチレン−６，６−ジメチルシクロヘキシル）−３−ブテン−２−オン、エポキシ−２，３−β−イオノン、エチル−２，３−エポキシ−３−メチル−５−（２，６，６−トリメチル−２−シクロヘキセニル）−４−ペンテノエート、α−イオノンアントラニル酸メチル、メチル−２，３−エポキシ−３−メチル−５−（２，６，６−トリメチル−２−シクロヘキセニル）−４−ペンテノエート、４−（２，５，６，６−テトラメチル−２−シクロヘキセン−１−イル）−３−ブテン−２−オン、６−メチル−β−イオノン、６−メチル−γ−イオノン、４−（２，６，６−トリメチル−２−シクロヘキセニル）−２，３−ジメチル−２−ブテン−１−アル、４−（２，６，６−トリメチル−２−シクロヘキセン−１−イル）−３−メチル−３−ブテン−２−オン、５−（２，６，６−トリメチル−２−シクロヘキセン−１−イル）−４−ペンテン−３−オン、５−（２，６，６−トリメチル−１−シクロヘキセン−１−イル）−４−ペンテン−３−オン、４−（２，６，６−トリメチル−３−シクロヘキセン−１−イル）−３−メチル−３−ブテン−２−オン、５−（２−メチレン−６，６−ジメチルシクロヘキシル）−４−ペンテン−３−オン、４−（２−メチレン−６，６−ジメチルシクロヘキシル）−３−メチル−３−ブテン−２−オン、４−（２，３，６，６−テトラメチル��２−シクロヘキセン−１−イル）−３−ブテン−２−オン、４−（２，４，６，６−テトラメチル−２−シクロヘキセン−１−イル）−３−ブテン−２−オン、４−（２，４，６，６−テトラメチル−１−シクロヘキセン−１−イル）−３−ブテン−２−オン、５−メチル−１−（３−メチル−３−シクロヘキセニル）−１，３−ヘキサンジオン、２−メチル−４−（２，６，６−トリメチル−２−シクロヘキセニル）−３−ブテン−１−アル、３−メチル−４−（２，４，６−トリメチル−３−シクロヘキセニル）−３−ブテン−２−オン、４−（２−メチル−５−イソ−プロペニル−１−シクロペンテン−１−イル）−２−ブタノン、４−（２，６，６−トリメチル−７−シクロヘプテニル）−３−ブテン−２−オン、４−（２，６，６−トリメチル−４−シクロヘキセニル）−３−ブテン−２−オン、２，６−ジメチルウンデカ−２，６，８−トリエン−１０−オン、２，６，１２−トリメチル−トリデカ−２，６，８−トリエン−１０−オン、２，６−ジメチルドデカ−２，６，８−トリエン−１０−オン、２，６，９−トリメチルウンデカ−２，６，８−トリエン−１０−オン、４−（２，６，６−トリメチル−２−シクロヘキセン−１−イル）−３−メチル−３−ブテン−２−オン、４−（２，４，６−トリメチル−３−シクロヘキセン−１−イル）−３−ブテン−２−オン、５−（２−メチレン−６，６−ジメチルシクロヘキシル）−４−ペンテン−３−オン及びこれらの混合物が含まれるが、これらに限定されない。
【００６１】
好ましいイオノンには、４−（２，６，６−トリメチル−３−シクロヘキセン−１−イル）−３−メチル−３−ブテン−２−オン（Ｉｓｏｒａｌｄｅｉｎｅの商標でＧｉｖａｕｄａｎ Ｒｏｕｒｅ， Ｃｏｒｐ．（米国ニュージャージー州ティーネック）から市販されている）、５−（２−メチレン−６，６−ジメチルシクロヘキシル）−４−ペンテン−３−オン（γ−メチルイオノンの商標でＧｉｖａｕｄａｎ Ｒｏｕｒｅ， Ｃｏｒｐ．（米国ニュージャージー州ティーネック）から市販されている）、４−（２，２，６−トリメチル−２−シクロヘキセン−１−イル）−３−ブテン−２−オン（α−イオノンの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、４−（２，６，６−トリメチル−１−シクロヘキセン−１−イル）−３−ブテン−２−オン（β−イオノンの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、４−（２，６，６−トリメチル−２−シクロヘキセン−１−イル）−３−メチル−３−ブテン−２−オン（メチルイオノンの商標でＢｕｓｈ Ｂｏａｋｅ Ａｌｌｅｎ， Ｉｎｃ．（米国ニュージャージー州モントベール）から市販されている）及びこれらの混合物が含まれる。
【００６２】
イオノンは、１つ以上の個別の香料化学物質として、あるいはイオノン香料化学物質を含む香料化学物質の組み合わせから構成される特定香料として、臭いマスキングベースに添加することができる。イオノン特定香料の例には、Ａｌｖａｎｏｎｅ Ｅｘｔｒａ（Ｉｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、Ｉｒｉｓｉａ Ｂａｓｅ（Ｆｉｒｍｅｎｉｃｈ， Ｉｎｃ．（米国ニュージャージー州プリンストン）から市販されている）、Ｉｒｉｖａｌ（Ｉｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、Ｉｒｉｔｏｎｅ（Ｉｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）及びこれらの混合物が含まれるが、これらに限定されない。
本明細書に用いるのに好適なその他のイオノン含有物質は、例えば、オジギソウ、スミレ、アヤメ、ニオイイリス及びこれらの混合物などの天然物質である。
【００６３】
臭いマスキングベースに使用するジャコウ及び高揮発性香料も、１つ以上の個別の香料化学物質として、あるいは香料化学物質の組み合わせから構成される特定香料として、臭いマスキングベースに添加することができる。好ましい高揮発性特定香料の例には、Ｃａｓｓｉｓ Ｂａｓｅ３４５−Ｂ（Ｆｉｒｍｅｎｉｃｈ， Ｉｎｃ．（米国ニュージャージー州プリンストン）から市販されている）が含まれるが、これに限定されない。Ｎ好適なイオノン香料の例及びそれらの１気圧における沸点は、米国特許第５，９１９，４４０号に開示されているが、これらに限定されない。
【００６４】
ジャコウ
臭いマスキングベースは、ジャコウ成分を、臭いマスキングベースの約５重量％〜約７０重量％、好ましくは約１５重量％〜約５０重量％、更に好ましくは約２０重量％〜約３５重量％の濃度で含有することが好ましい。ジャコウは香料化学物質のよく知られた種類であり、典型的に無色又は淡黄色の物質で、特有のジャコウようの香りを有する。
臭いマスキングベースに使用するジャコウ成分は、１気圧において約２５０℃超過、好ましくは約２５５℃超過、更に好ましくは約２６０℃超過の沸点を有する必要があり、このときジャコウ成分は、多環式ジャコウ、大環状ジャコウ、ニトロ環式ジャコウ又はこれらの組み合せであることが好ましい。また、ジャコウ成分はそれぞれ、約１２個超過、好ましくは約１３個超過、更に好ましくは約１５個超過の炭素原子を有することが好ましい。
【００６５】
好適な多環式ジャコウには、５−アセチル−１，１，２，３，３，６−ヘキサメチルインダン、４−アセチル−１，１−ジメチル−６−第三級ブチルインダン、７−アセチル−１，１，３，４，４，６−ヘキサメチル−１，２，３，４−テトラヒドロナフタレン、１，１，４，４−テトラメチル−６−エチル−７−アセチル−１，２，３，４−テトラヒドロナフタレン、１，３，４，６，７，８−ヘキサヒドロ−４，６，６，７，８，８−ヘキサメチル−シクロペンタ−γ−２−ベンゾピラン及びこれらの混合物が含まれる。
好適な大環状ジャコウには、シクロペンタデカノリド、シクロペンタデカノロン、シクロペンタデカノン、３−メチル−１−シクロペンタデカノン、シクロヘプタデセン−９−オン−１、シクロヘプタデカノン、シクロヘキサデセン−７−オリド、シクロヘキサデセン−９−オリド、シクロヘキサデカノリド、エチレントリデカンジオエート、１０−オキサヘキサデカノリド、１１−オキサヘキサデカノリド、１２−オキサヘキサデカノリド及びこれらの混合物が含まれる。
【００６６】
好適なニトロ環式ジャコウには、１，１，３，３，５−ペンタメチル−４，６−ジニトロインダン、２，６−ジニトロ−３−メトキシ−１−メチル−４−第三級ブチルベンゼン、２，６−ジメチル−３，５−ジニトロ−４−第三級ブチル−アセトフェノン、２，６−ジニトロ−３，４，５−トリメチル−第三級ブチルベンゼン、２，４，６−トリニトロ−１，３−ジメチル−５−第三級ブチルベンゼン及びこれらの混合物が含まれる。
好ましいジャコウには、１，３，４，６，７，８−ヘキサヒドロ−４，６，６，７，８，８−ヘキサメチル−シクロペンタ−γ−２−ベンゾピラン（Ｇａｌａｘｏｌｉｄｅの商標でＩｎｔｅｒｎａｔｉｏｎａｌ Ｆｌａｖｏｒｓ ａｎｄ Ｆｒａｇｒａｎｃｅｓ， Ｉｎｃ．（米国ニューヨーク州ニューヨーク）から市販されている）、シクロペンタデカノリド（Ｅｘａｌｔｏｌｉｄｅの商標でＦｉｒｍｅｎｉｃｈ， Ｉｎｃ．（米国ニュージャージー州プリンストン）から市販されている）、エチレントリデカンジオエート（Ｅｔｈｙｌｅｎｅ Ｂｒａｓｓｙｌａｔｅの商標でＦｒａｇｒａｎｃｅ Ｒｅｓｏｕｒｃｅ， Ｉｎｃ．（米国ニュージャージー州キーポート）から市販されている）、７−アセチル−１，１，３，４，４，６−ヘキサメチル−１，２，３，４−テトラヒドロナフタレン（Ｔｏｎａｌｉｄの商標でＧｉｖａｕｄａｎ 好適なジャコウの例及びそれらの１気圧における沸点は、米国特許第５，９１９，４４０号に開示されているが、これらに限定されない。
【００６７】
（実施例）
実施例に使用されている略語
実施例において、成分名の略語は次の意味を有する。
【００６８】
【表１】
2004506750.tif 000003
【００６９】
以下の実施例では、割合はすべて重量で表す。
【００７０】
実施例１〜１６
実施例１〜１６は、食品の調理汚れ、焼きつき汚れ及び焦げつき汚れを除去しやすくするために、食器洗い前に使用する前処理用組成物について説明する。実施例の組成物を洗い物に適用する。洗い物は、１４０℃で２時間焼いたパイレックス容器のラザーニャ、１５０℃で２時間調理したステンレススチール容器のラザーニャ、１５０℃で２時間調理したステンレススチール容器のポテトとチーズ、１５０℃で２時間調理したステンレススチール容器の卵黄及び１２０℃で１時間調理した後、１８０℃で１時間調理したソーセージといった異なる汚れと異なる基材から構成される。洗い物を実施例の組成物に１０分間浸け置きした後、冷たい水道水ですすぐ。その後、典型的な食器洗い用洗剤組成物で、洗い物を手で、あるいは自動食器洗い機（例えば、Ｂｏｓｃｈ６０３２食器洗い機）で洗浄する（５５℃、下洗いは行わない）。典型的な食器洗い用洗剤組成物は、例えば、アルカリ性成分、ビルダー、酵素、漂白剤、漂白剤触媒、非イオン性界面活性剤、石鹸泡抑制剤、銀腐食防止剤、汚れ懸濁化ポリマーなどを含有する。洗い物を実施例の組成物で処理し、その後、食器洗い機で洗浄したところ、食品の調理汚れ、焼きつき汚れ及び焦げつき汚れがきれいに除去された。
【００７１】
【表２】
2004506750.tif 000004
【００７２】
【表３】
2004506750.tif 000005
【００７３】
【表４】
2004506750.tif 000006
【００７４】
【表５】
2004506750.tif 000007
【００７５】
実施例はすべて、２５℃における液体表面張力が２４．５ｍＮ／ｍ未満、ｐＨが１２以上及びステンレススチール基材上の重合油脂汚れにおける４５分間の汚れ膨潤指数が少なくとも２００％である。
マスキング香料組成物を以下の表に示す。
【００７６】
【表６】
2004506750.tif 000008
【国際公開パンフレット】
2004506750.tif 000009
2004506750.tif 000010
2004506750.tif 000011
2004506750.tif 000012
2004506750.tif 000013
2004506750.tif 000014
2004506750.tif 000015
2004506750.tif 000016
2004506750.tif 000017
2004506750.tif 000018
2004506750.tif 000019
2004506750.tif 000020
2004506750.tif 000021
2004506750.tif 000022
2004506750.tif 000023
2004506750.tif 000024
2004506750.tif 000025
2004506750.tif 000026
2004506750.tif 000027
2004506750.tif 000028
2004506750.tif 000029
2004506750.tif 000030
2004506750.tif 000031
2004506750.tif 000032
2004506750.tif 000033
2004506750.tif 000034
2004506750.tif 000035
2004506750.tif 000036
2004506750.tif 000037
2004506750.tif 000038
2004506750.tif 000039
2004506750.tif 000040
2004506750.tif 000041
2004506750.tif 000042
2004506750.tif 000043
2004506750.tif 000044
2004506750.tif 000045
2004506750.tif 000046
2004506750.tif 000047
2004506750.tif 000048
2004506750.tif 000049
2004506750.tif 000050
2004506750.tif 000051
2004506750.tif 000052
2004506750.tif 000053
2004506750.tif 000054
【国際調査報告】
2004506750.tif 000055
2004506750.tif 000056
2004506750.tif 000057
2004506750.tif 000058
2004506750.tif 000059